(57)【要約】  【課題】着物の着付け時に美しい形状を形成し、着崩れしにくく、しかも一人でも容易かつ迅速に着付けることができるようにする。  【解決手段】着物自体又は帯で隠れる高さに予め取付けたお端折部に１以上の始端着脱具を取付けてあり、この始端着脱具を装着して支持する始端支持具を前記着物又はお端折部の内面の一周位置に取付けてある。また、前記お端折部の終端部を支持する１以上の終端着脱具を取付けてあり、この終端着脱具を装着して支持する１以上の終端支持具を前記着物又はお端折部の外面のお端折部全長位置に取付けてあるので、着用者の胴廻り体形の差異に対応して、複数のファスナーの一つを選んで使用することで、どのような体形でも着用できる。【選択図】図２
2019023362.tif 000002
【特許請求の範囲】
【請求項１】
右巻き方向又は左巻き方向に着るお端折部を形成した若しくはお端折部無しの着物の自体又は帯で隠れる高さに予め取付けたお端折部の始端に１以上の始端着脱具を取付けてあり、この始端着脱具を装着して支持する１以上の始端支持具を前記着物又はお端折部の内面の一周位置に取付けてあり、また前記お端折部の終端部を支持する１以上の終端着脱具を取付けてあり、この終端着脱具を装着して支持する１以上の終端支持具を前記着物又はお端折部の外面のお端折部全長位置に取付けてあることを特徴とする着物。
【請求項２】
右巻き方向又は左巻き方向に着るお端折部を形成した若しくはお端折部無しの着物の自体又は帯で隠れる高さに予め取付けたお端折部の始端に１以上の始端着脱具を取付けてあり、この始端着脱具を装着して支持する１以上の始端支持具を前記着物又はお端折部の内面の一周位置に取付けてあり、また前記お端折部の終端部を支持する１以上の終端着脱具を取付けてあり、この終端着脱具を装着して支持する１以上の終端支持具を前記着物又はお端折部の外面のお端折部全長位置に取付けてある着物を着る際に、太った体形の人が着る場合は、前記の１以上の始端支持具及び／又は始端着脱具の位置までの寸法が長くなるように前記の始端着脱具及び／又は始端支持具を選択し、痩身者が着る場合は、前記の寸法が短くなるように前記の始端着脱具及び／又は始端支持具を選択することを特徴とする着物の着付け方法。
【請求項３】
前記の１以上の始端着脱具又は終端着脱具及び／又は始端支持具及び／又は終端支持具において、着用者の体形に応じて各体形ごとに着脱具又は支持具の色を変えてあることを特徴とする請求項１記載の着物。
【請求項４】
衿部分に縦帯状の背力布の上端が接続されており、前記背力布の下端又は下端近傍を着物の後身頃の内面に着脱する構成となっており、前記背力布を下方に引いて衿抜きした状態で、前記後身頃の内面に装着固定する構造を特徴とする請求項１又は請求項３に記載の着物。
【発明の詳細な説明】
【技術分野】
【０００１】
本発明は、着物及び着物の着付け方法に関する。詳しくは、一人でも各種サイズに対応して容易かつ迅速に着崩れしにくい着付けができる技術を実現する。
【背景技術】
【０００２】
着物は、様々な体型の人が着用することができるようゆとりをもって作られているので、着用時に個々の体型に合わせて微調整する作業が必要である。具体的には、「衿抜き」と言われる、衿の後ろ部分の空き具合、裾にかけてすぼまった形状、お端折の形成、背中部分の後身頃に皺ができないように生地を身体に添わせるなどである。これらの作業は、着用時の美しい形状を形成するため、必要な作業とされている。このため、着物を一人で着用できるようになるにはある程度の時間が必要となり、たとえ一人で着用できるようになっても、着用していると徐々に着崩れてしまうことから、着物を着用することにわずらわしさを感じ、いわゆる「着物離れ」が生じてしまっている。そして、この結果として着物を一人で着付けすることができない人が増えている。
特に、体形的に太った人が居れば、痩せた体形も有る。また、衿の後ろ部分を後方に倒す「えり抜き」と言われる作業は、鏡を見ながら片手を背中側に回して行う作業となるため、難しいとされる。
【０００３】
このようなことから、特許文献１に示すように、身頃の脇線の一部を裾にかけて裾窄まりに形成されるよう予め身頃の裾付近を斜めに裁った着物が考案されている。これにより、着物の美しい形状の一つである裾窄まりの形状が自然と形成される。また、特許文献２に示すように、上衣と下衣に分かれた、上下二部式の着物も考案されている。これにより、お端折を容易に形成することが出来、また後身頃にダーツを設けて予め体型に沿った形状に形成しているので、微調整する必要がなく容易に着用することができる。
【先行技術文献】
【特許文献】
【０００４】
【特許文献１】特開２００７−７７５５３号公報
【特許文献２】特開２００７−１６３７２号公報
【発明の概要】
【発明が解決しようとする課題】
【０００５】
しかしながら、特許文献１に記載された着物では、着物の柄のデザイン性が大きく損なわれることが考えられる。着物の柄は、従来の裁断方法で裁断されることを前提として、反物の幅に合ったデザインが施されており、このような柄を無視して裁断すると、隣接する身頃の柄に違和感が生じてしまうだけでなく、従来通りの衿抜きの作業を行わなければならない点については解消されていない。このため、着物の美しい形状が損なわれてしまうことが考えられる。
【０００６】
また、特許文献２に記載された着物では、上衣の裾を両面テープで折畳むことでお端折を形成しているため、着崩れし易いだけでなく、後身頃にダーツを設けたことで後身頃に生地の皺が生じやすくなり、着物の美しい形状が形成され難い。
【０００７】
本発明の技術的課題は、このような問題に着目し、体形と関係無く着物の着付け時に美しい形状を形成し、着崩れしにくく、しかも一人でも容易かつ迅速に着付けることができる技術を実現することにある。
【課題を解決するための手段】
【０００８】
本発明の技術的課題は次のような手段によって解決される。請求項１は、右巻き方向又は左巻き方向に着るお端折部を形成した若しくはお端折部無しの着物の自体又は帯で隠れる高さに予め取付けたお端折部の始端に１以上の始端着脱具を取付けてあり、この始端着脱具を装着して支持する１以上の始端支持具を前記着物又はお端折部の内面の一周位置に取付けてあり、また前記お端折部の終端部を支持する１以上の終端着脱具を取付けてあり、この終端着脱具を装着して支持する１以上の終端支持具を前記着物又はお端折部の外面のお端折部全長位置に取付けてあることを特徴とする着物である。
前記の着脱具と支持具とは、着脱具を支持具に装着すると互いに接続されて固定され、お端折部の始端や終端が揺れたり移動できなくなる。また、着脱具を支持具から離脱すると離れて互いに自由となる仕組みで、図示のファスナーは、左右の務歯列やスライダーは金属や合成樹脂など、硬度と耐磨耗性に富む材質である。このような、固い材質が着物に混じっているのを好まない人も居るが、その場合を考慮して、リボンや紐類も代用できる。
すなわち、図２の主ファスナー７２、７５と従ファスナー７３…、７６…に代えて、紐やリボンを縫い付けておく構造も可能である。すなわち紐やリボンの両側を縫い付けて１本で主又は従のファスナーの代用にしても良いが、紐やリボンを２本ずつ用いて一端はファスナー７２〜７６…の上端と下端の両方に縫い付けておいて、他端のフリーの部分同士を蝶結びなどで接続して着脱可能とする。
【０００９】
請求項２は、右巻き方向又は左巻き方向に着るお端折部を形成した若しくはお端折部無しの着物の自体又は帯で隠れる高さに予め取付けたお端折部の始端に１以上の始端着脱具を取付けてあり、この始端着脱具を装着して支持する１以上の始端支持具を前記着物又はお端折部の内面の一周位置に取付けてあり、また前記お端折部の終端部を支持する１以上の終端着脱具を取付けてあり、この終端着脱具を装着して支持する１以上の終端支持具を前記着物又はお端折部の外面のお端折部全長位置に取付けてある着物を着る際に、太った体形の人が着る場合は、前記の１以上の始端支持具及び／又は始端着脱具の位置までの寸法が長くなるように前記の始端着脱具及び／又は始端支持具を選択し、痩身者が着る場合は、前記の寸法が短くなるように前記の始端着脱具及び／又は始端支持具を選択することを特徴とする着物の着付け方法である。
【００１０】
請求項３は、前記の１以上の始端着脱具又は終端着脱具及び／又は始端支持具及び／又は終端支持具において、着用者の体形に応じて各体形ごとに着脱具又は支持具の色を変えてあることを特徴とする請求項１記載の着物である。
【００１１】
請求項４は、衿部分に縦帯状の背力布の上端が接続されており、前記背力布の下端又は下端近傍を着物の後身頃の内面に着脱する構成となっており、前記背力布を下方に引いて衿抜きした状態で、前記後身頃の内面に装着固定する構造を特徴とする請求項１又は請求項３に記載の着物である。
着脱手段として、実施例ではボタンをボタンホールに嵌入して装着する例を図示したが、ボタンに代えてフックを用いても良いし、マジックテープ（登録商標）と呼ばれている面ファスナー等を着脱手段にしてもよい。面ファスナーを使用する場合は、例えばフック側を背力布に取付け、ループ側を後身頃の内面に取付ける。その逆でもよい。
【発明の効果】
【００１２】
請求項１のように、右巻き方向又は左巻き方向に着る着物の自体又は帯で隠れる高さに予め取付けたお端折部にファスナー等のような１以上の始端着脱具を取付けてあり、この始端着脱具を装着して支持する始端支持具を前記着物又はお端折部の内面の一周位置に取付けてある。
また、前記お端折部の終端部を装着する１以上の終端着脱具を取付けてあり、この終端着脱具を装着して支持する１以上の終端支持具を前記着物又はお端折部の外面のお端折部全長位置に取付けてあるので、着用者の胴廻り体形の差異に対応して、複数のファスナーの一つを選んで使用することで、どのような体形でも着用できる。
【００１３】
請求項２のように、右巻き方向又は左巻き方向に着るお端折部を形成した若しくはお端折部無しの着物の自体又は帯で隠れる高さに予め取付けたお端折部の始端に１以上の始端着脱具を取付けてあり、この始端着脱具を装着して支持する１以上の始端支持具を前記着物又はお端折部の内面の一周位置に取付けてある。
また、前記お端折部の終端部を支持する１以上の終端着脱具を取付けてあり、この終端着脱具を装着して支持する１以上の終端支持具を前記着物又はお端折部の外面のお端折部全長位置に取付けてある着物を着る際に、太った体形の人が着る場合は、前記の１以上の始端支持具及び／又は始端着脱具の位置までの寸法が長くなるように前記の始端着脱具及び／又は始端支持具を選択し、痩身者が着る場合は、前記の寸法が短くなるように前記の始端着脱具及び／又は始端支持具を選択するので、太った体形の人が着る場合は、前記の支持具及び／又は着脱具の位置までの寸法が長くなるように選択し装着する。また、痩身者が着る場合は、前記の寸法が短くなるように前記の支持具及び／又は着脱具を選択するように、複数の着脱具や支持具の一つを選んで使用することで、どのような体形でも対応できる。
【００１４】
請求項３のように、前記の１以上の始端着脱具又は終端着脱具及び／又は始端支持具及び／又は終端支持具において、着用者の体形に応じて各体形ごとに着脱具又は支持具の色を変えてあるので、色によって所望のサイズを選択し決定できる。
【００１５】
図３の実施例では、ボタンをボタンホールに係合させることで背力布をボタン側に牽引して衿抜き可能としたが、請求項４では、マジックテープと呼ばれている面ファスナー等も着脱手段として使用可能とした。すなわち、背力布を下に引いて衿抜きしてから、面ファスナーを押し付けて装着固定する。このように、背力布の下端を下に引いて装着するだけで衿抜でき、一人でも容易かつ迅速に衿抜きがる。
【図面の簡単な説明】
【００１６】
【図１】本実施例の着物を構成する上身頃対、前下身頃対及び後下身頃対の形状を表した展開図である。
【図２】本実施例の着物のサイズ調節構成を示す正面図である。
【図３】本実施例の着物の後衿部の構成を示す斜視図である。
【図４】本実施例の着物の背力布を示す断面図である。
【図５】本実施例の着物の製造方法を示す工程図である。
【図６】本実施例の着物の着用方法の工程図である。
【発明を実施するための形態】
【００１７】
次に本発明による着物の構成及び着物の着付け方法について、図１乃至図６を参照しながら説明し、本発明の理解に供する。なお、本明細書では、「左」「右」とは、それぞれ順に、着用者にとっての左手側を、着用者にとっての右手側を示す。また、「前」「後」、それぞれ順に、着用者にとっての前方を、着用者にとっての後方を示す。そして、「上」「下」とは、それぞれ順に、着用者にとって足部から頭部に向けての方向を、着用者にとって頭部から足部に向けての方向を示す。さらに、「内側」「外側」とは、それぞれ順に着用者の身体の中心に近い側を、着用者の身体の中心から遠い側を示す。なお、図１において縫い代は省略している。
【００１８】
本発明に係る着物について、図１乃至図４を用いて説明する。まず、図１乃至図３に示すように、本実施の形態の着物は、上身頃対１、前下身頃対２、衽対３、後下身頃対４、衿５、衿抜き部材の一例である背力布６、袖９の構成部材から成る。
【００１９】
上身頃対１は左上身頃１０ａ及び右上身頃１０ｂから成り、それぞれ長手方向の略中央に肩山線１１ａ、１１ｂを有する。肩山線１１ａ、１１ｂを含む領域の生地は、本実施の形態の着物を着用した際、着用者の肩の最上部付近に位置する。
【００２０】
左右の上身頃１０ａ、１０ｂのうち、肩山線１１ａ、１１ｂを境にして、着用時に着用者の前側に位置する部分を前側上身頃１０１ａ、１０１ｂとし、後側に位置する部分を後側上身頃１００ａ、１００ｂとする。左右の上身頃１０ａ、１０ｂは、図１においては略左右反転した形状を有し、上身頃１０ａ、１０ｂとも他方の上身頃と対向する縁部は、後側上身頃１００ａ、１００ｂから前側上身頃１０１ａ、１０１ｂにかけて切欠かれている。
【００２１】
具体的には、後側上身頃１００ａ、１００ｂは中心角略９０度の円弧状に切欠かれて、後衿付線１３０ａ、１３０ｂが形成される。この後衿付線１３０ａ、１３０ｂに連続するようにして、前側上身頃１０１ａ、１０１ｂの肩山線１１ａ、１１ｂから前端側領域１２ａ、１２ｂにかけて斜めに切欠かれた前衿付線１３１ａ、１３１ｂが形成される。
そして、このような後衿付線１３０ａ、１３０ｂを有する後衿部１３２と、前衿付線１３１ａ、１３１ｂを有する前衿部１３３とを併せて、衿刳りの一例である衿付部１３が形成される。
【００２２】
この後衿付線１３０ａ、１３０ｂに沿って衿５の衿後部５０を取付けることで、衿５が後方に傾倒し、自然と衿抜きがされた衿と同様の美しい形状の衿５を形成することができると共に、衿抜きの作業をすることなく、一人でも容易かつ迅速に着用することができる。
【００２３】
また、前衿付線１３１ａ、１３１ｂに沿って衿５の衿前部５１を取付けることで、胸元の衿が自然と合わさった、美しい形状の衿５を形成することができると共に、胸元を合わせる作業をすることなく、一人でも容易かつ迅速に着用することができる。
【００２４】
また、傾斜内縁部の一例である、上身頃１０ａ、１０ｂの背縫い部１６は、後側上身頃１００ａ、１００ｂの内側の縁部であって、後衿付線１３０ａ、１３０ｂの部分を除いた縁部である内側縁部１６０ａ、１６０ｂと、その近傍であって、背中部分や脇部分に位置する縁部領域１６１ａ、１６１ｂとから成る。内側縁部１６０ａ、１６０ｂは、肩山線１１ａ、１１ｂから後端側領域１４ａ、１４ｂに向けて離間するにしたがって、外側に傾斜して形成されている。
【００２５】
この内側縁部１６０ａ、１６０ｂを縫着することで、上身頃を略筒状に形成することができると共に、下方を細くして上身頃１を着用者の胴回りに沿った、下窄まりの立体的な形状に形成することができると共に、着用時の背中部分や脇部分である縁部領域１６１ａ、１６１ｂに、生地の皺が生じるのを防ぐことができる。
【００２６】
なお、胴回りが太い着用者の場合には、内側縁部１６０ａ、１６０ｂの傾斜角度を変えるなどして徐々に垂直方向に近づけることで対応することができる。
【００２７】
また、上身頃１０ａ、１０ｂの外側縁部１５は、前外側縁部１５０ａ、１５０ｂ及び後外側縁部１５１ａ、１５１ｂから成る。前外側縁部１５０ａ、１５０ｂは肩山線１１ａ、１１ｂから前端側領域１２ａ、１２ｂにかけて内側に傾斜している。後外側縁部１５１ａ、１５１ｂは、肩山線１１ａ、１１ｂから後端側領域１４ａ、１４ｂにかけて内側に傾斜している。
【００２８】
前外側縁部１５０ａ、１５０ｂの一部と、後外側縁部１５１ａ、１５１ｂの一部を縫着することで、上身頃を略筒状に形成することができると共に、下方を細くして上身頃１を着用者の胴回りに沿った、下窄まりの立体的な形状に形成することができる。
【００２９】
背力布６は帯状の形状を有し、伸縮性のない素材で形成されている。また、背力布６の一端であり、被取付部６５は、着物Ａの内側で後衿付線１３０ａ、１３０ｂと内側縁部１６０ａ、１６０ｂとが交わる交点又はその周辺の取付け領域６１内の所定の取付部６０に取付けられる。また、背力布６の他端である被係合部であるボタンホール６３は、後下見頃対４の内面の所定の係合部であるボタン６４に取付けられる。
【００３０】
後身頃の一部に取付けられた係合部の一例であるボタン６４をボタンホール６３に係合することで背力布６にボタン６４側の牽引力を持たせることができる。
【００３１】
背力布６は、取付部６０とボタン６４間の長さよりも短く形成され、かつボタン６４は帯（図示せず）によって押圧される位置に取り付けられているので、背力布６の被取付部６５にボタン６４側への牽引力が生じる。このボタン６４側への牽引力が取付け領域６１に加えられることで、衿５が後方に傾倒するので、衿抜き作業をすることなく衿抜きがされた衿と同様の美しい形状の衿５を形成することができる。また、背力布６によって着物の形状が略一定に保持されるので、着用時に衿の位置がずれるなどの着崩れが生じにくくなる。さらに、背力布６は、着物Ａの内側に取付けられるため着物Ａの外観を損なうことがないので、美しい形状を有する着物が形成される。
【００３２】
また、背力布６により取付け領域６１にボタン６４側への牽引力が加えられた際には、図４（ａ）（ｂ）に示すように、縁部領域１６１ａ、１６１ｂの余分な布地はボタン６４側に引っ張られてお端折部７の内側に折畳まれて収容される。このため、生地がお端折部７の表面に露出することを防ぐことができる。
【００３３】
なお、ボタンホール６３が設けられる位置は、背力布６の端部に限られるものではなく、背力布６の途中部に設けることができ、また複数個所設けることもできる。この場合、取付け領域６１とボタン６４の取付け位置までの長さを容易に変更することができるので、着用者の体型に適した長さにすることができる。そして、ボタンホール６３の位置に応じて取付け領域６１に加えられる牽引力の大きさが変化するので、ボタンホール６３の位置を選択して衿５の傾倒する角度を調整することができる。また、本実施例では、背力布６の幅は約７センチに形成されているが、これに限られるものではない。例えば、背力布の幅を７センチよりも細くすると、衿後部の形状をやや幅狭な形状にすることができ、７センチよりも太くすると、衿後部は丸みを帯びた形状に形成される。なお、背力布６は伸縮性のない素材に限定されるものではなく、ゴムなどの弾性材を用いても良い。
【００３４】
衽対３は、帯状の左右の衽３０ａ、３０ｂから成り、その幅方向の一端は前下身頃２０ａ、２０ｂの幅方向の内側の端部に縫着される。
【００３５】
前下身頃対２は、帯状の左右の前下身頃２０ａ、２０ｂから成り、上身頃側領域の一例である上端部２１ａ、２１ｂは上身頃１０ａ、１０ｂの前端側領域１２ａ、１２ｂに縫着される。本実施例においては、前下身頃２０ａ、２０ｂの幅は、前端側領域１２ａ、１２ｂの幅と略同一に形成されている。なお、前下身頃２０ａ、２０ｂの幅は、前端側領域１２ａ、１２ｂの幅と略同一の長さに形成されることに限られず、着用者のサイズに合わせて、適宜変更することができる。
【００３６】
ここで、前端側領域１２ａ、１２ｂの傾斜前縁部の一例である前端側縁部１２０ａ、１２０ｂは、外側から内側に向けて肩山線１１ａ、１１ｂ側に傾斜している。このため、前端側縁部１２０ａ、１２０ｂに前下身頃２０ａ、２０ｂ及び衽３０ａ、３０ｂを縫着すると、前下身頃２０ａ、２０ｂの下端部２２ａ、２２ｂ、及び衽３０ａ、３０ｂの下端部３１ａ、３１ｂは、外側から内側に向けて傾斜した形状となる。その結果、図２（ｂ）に示すように、衽３０ａの下端部３１ａの褄先２３が持ち上がった、いわゆる裾窄まりの形状が自然と形成される。
【００３７】
なお、右前下身頃２０ｂと右衽３０ｂを別個に裁断せず、一体の生地として裁断しても良い。右衽は着用時に、左衽及び左前下身頃に覆われて露出しないので、右前下身頃と右衽を一体に裁断することで縫着する手間を省くことが出来るからである。
【００３８】
後下身頃対４は、帯状の左右の後下身頃４０ａ、４０ｂから成り、上身頃側領域の一例である上端部４１ａ、４１ｂは上身頃１０ａ、１０ｂの後端側領域１４ａ、１４ｂに縫着される。後下身頃４０ａ、４０ｂの幅は、後端側領域１４ａ、１４ｂの後端側縁部１４０ａ、１４０ｂ幅と略同一に形成されている。なお、後下身頃４０ａ、４０ｂの幅は、後端側領域１４ａ、１４ｂの幅と略同一の長さに形成されることに限られず、着用者のサイズに合わせて、適宜変更することができる。
【００３９】
ここで、後端側縁部１４０ａ、１４０ｂは、肩山線１１ａ、１１ｂと略平行に配置されている。このため、後端側縁部１４０ａ、１４０ｂに後下身頃４０ａ、４０ｂを縫着すると、後下身頃４０ａ、４０ｂの下端部４２ａ、４２ｂは、略水平に配置される。
【００４０】
図４（ｂ）に示すように、上身頃１と前下身頃２０ａ、２０ｂの上端部２１ａ、２１ｂ及び後下身頃４０ａ、４０ｂの上端部４１ａ、４１ｂとが縫着された縫着部８０付近を折返して重ねた重なり部にお端折部７が形成される。このお端折部７の上部７０付近で重なっている上身頃１、前下身頃２０ａ、２０ｂ、及び後下身頃４０ａ、４０ｂにお端折部７を縫着することにより、お端折部７の形状は保持されるので、着用時にお端折部７を形成する作業をすることなく、一人でも容易かつ迅速に着用することができる。
【００４１】
着物を着る場合、通常、身体に着物を時計廻りに巻きつけるように右袖の有る右端から先に身体に巻くように着るので、図２のように、左前の着方になる。上方から見た場合、「の」の字の筆順の順序で右廻りに着る。逆に、下方から見て、「の」の字を左右反転した順序で左廻りに着ることも可能であり、この場合は、右前の着方になる。図示着物には、お端折部７の上端縁を予め着物に縫い付け支持してある。図示のお端折部７は、帯のように上端縁と下端縁間の幅で長く形成されている。「長く」と言っても、着用者の胴の外面に巻いた場合の約一周半程度の長さ、すなわち着物を着た場合の着物の胴廻り寸法とする。
【００４２】
図２は、着物のサイズ調節構成の実施例を示す正面図である。お端折部７の巻始めすなわち始端７１の近傍内側にある下身頃の部分には主ファスナー７２のような始端着脱具７２が縫い付けられており、主ファスナー７２と係合可能な従ファスナー７３…すなわち３本の始端支持具７３…が、お端折７の内面すなわち、左前下身頃２０ａと左後下身頃４０ａが縫着される左体側縫着部８ａの上身頃１０ａ側のお端折部７に取付けられている。
【００４３】
ファスナーは、務歯列を互いに対向させ、間に設けた楔体と両外側に配設した押さえ部とから成るスライダーを移動させて左右の務歯列を開閉する構造である。すなわち、主ファスナー７５と従ファスナー７３…は、片方の務歯列とスライダーＳとを有し、主ファスナー７２と従ファスナー７６…は、他方の務歯列のみを有しており、スライダーＳの操作で両務歯列が結合した際にファスナーが装着接続したことになる。
【００４４】
主ファスナー７２を従ファスナー７３…（主ファスナー７２側も複数個設けてもよい）に装着して互いに接続させることで、右前下身頃２０ｂ、右前下身頃２０ｂと縫着された右衽３０ｂ、及び右前下身頃ｄ０ｂが縫着された右上身頃１０ｂにより着用者の前面を覆うように固定することができるので、お端折部７の始端７１が揺れ動いたりして着用時に着崩れするのを防ぐことができると共に、一人でも容易かつ迅速に着ることができる。
【００４５】
お端折部７の巻き終りすなわち終端部７４又は近傍の下身頃には主ファスナー７５すなわち終端装着具７５が縫い付けられており、主ファスナー７５を装着して支持可能な従ファスナー７６…すなわち終端支持具７６…が、お端折部７の全長位置に縫い付けられている。
着脱ファスナー７５を支持ファスナー７６…に装着し互いに係合させることで、左前下身頃２０ａ、左前下身頃２０ａと縫着された左衽３０ａ、及び左前下身頃２０ａが縫着された左上身頃１０ａにより着用者の前面を覆うように固定することができるので、着用時に着崩れするのを防ぐことができると共に、一人でも容易かつ迅速に着用することができる。
【００４６】
また、主ファスナー７２、７５と従ファスナー７３…、７６…は帯を着用した際に帯で覆われる高さに設けられるので、着物を着た際に外観を損なうことがなく、着崩れするのを防ぐことができる。従って、着物自体に主ファスナー７２、７５や従ファスナー７３…、７６…を取付ける場合も、ファスナーなどの着脱具や支持具が帯で隠れるようにする。
【００４７】
なお、着物を構成する上身頃対１、前後の下身頃対２、４、袖９、衿５などの各寸法は、本発明の実施例に限られるものではない。例えば、これらの各寸法を変えることで、背が高くて痩せた体型、背が低くて痩せた体型、手足が長い体型、大柄な体型などの様々な体型にそれぞれ適合するサイズで作成された着物を作製することができる。
【００４８】
特に、衿は着用者の年齢や場面に応じてその開き具合が求められるので、様々な衿付部１３の前衿付線１３１ａ、１３１ｂ及び後衿付線１３０ａ、１３０ｂの形状が考えられる。例えば、胸元の衿を詰めた形状になる、直線状に形成された前衿付線、あるいは胸元の衿が開いた形状になる湾曲線状に形成された前衿付線などである。また、後衿付線１３１ａ、１３１ｂも、肩山線１１ａ、１１ｂから後側上身頃１００ａ、１００ｂ側へ大きく切欠くことで、後衿部１３２を大きく開くことができる。
【００４９】
このように、本発明では、着物の着用時の従来の美しい形状を保ちながらも、着崩れしにくく、一人でも容易かつ迅速に着用することができると共に、着用者の身体の凹凸に沿って立体的に作製された着物を提供することができる。
【００５０】
［着物の製造方法］
本発明に係る着物の製造方法について、図１乃至図５を用いて説明する。
［１］裁断工程Ｓ１裁断工程Ｓ１では、生地体（図示せず）から、衿５、各左右一対の上身頃１０ａ、１０ｂ、前下身頃２０ａ、２０ｂ、後下身頃４０ａ、４０ｂ、衽３０ａ、３０ｂ、及び袖９を裁断する作業を行う。
【００５１】
［２］第１内縁部接続工程Ｓ２
第１内縁部接続工程Ｓ２では、左右の上身頃１０ａ、１０ｂの背縫い部１６の内側縁部１６０ａ、１６０ｂを縫着する作業を行う。左上身頃１０ａの後側上身頃１００ａの内側縁部１６０ａと、右上身頃１０ｂの後側上身頃１００ｂの内側縁部１６０ｂを縫着する。これにより、左右の上身頃１０ａ、１０ｂが体型に沿った立体的な形状となり、後側上身頃１００ａ、１００ｂの縁部領域１６１ａ、１６１ｂに皺が生じにくくなって、美しい形状を有する上身頃１が形成される。
【００５２】
［３］脇縫い工程Ｓ３
脇縫い工程Ｓ３では、前側上身頃１０１ａ、１０１ｂと後側上身頃１００ａ、１００ｂの外側縁部１５を縫着する作業を行う。右上身頃１０ｂの前側上身頃１０１ｂの前外側縁部１５０ｂのうち前端側領域１２ｂ寄りの一部と、後側上身頃１００ｂの後外側縁部１５１ｂのうち後端部領域１４ｂ寄りの一部とを縫着する。また、左上身頃１０ａの前側上身頃１０１ａの前外側縁部１５０ａのうち前端側領域１２ａ寄りの一部と、後側上身頃１００ａの後外側縁部１５１ａのうち後端部領域１４ａ寄りの一部とを縫着する。これにより、左右の上身頃１０ａ、１０ｂを縫着することで、上身頃対を筒状に形成することができると共に、下方を細くして上身頃１を着用者の胴回りに沿った、下窄まりの立体的な形状に形成することができる。なお、外側縁部１５のうち縫着していない部分によって、後述する袖９と連続する袖通し用孔１７ａ、１７ｂを形成することができる。
【００５３】
［４］衿関連部材取付け工程Ｓ４
衿関連部材取付け工程Ｓ４では、取付け領域６１に背力布６を縫着する作業と、上身頃１０ａ、１０ｂの後衿付線１３０ａ、１３０ｂ及び前衿付線１３１ａ、１３１ｂに衿５を縫着する作業を行う。衿関連部材取付け工程Ｓ４は、衿抜き部材取付け過程Ｓ４０、後衿付取付け過程Ｓ４１及び前衿取付け過程Ｓ４２より構成される。
【００５４】
［４−１］衿抜き部材取付け過程Ｓ４０
衿抜き部材取付け過程Ｓ４０では、衿抜き部材の一例である背力布６の被取付部６５を上身頃の取付部６０に取付け、背力布６の被係合部であるボタンホール６３を係合部であるボタン６４に係合させる作業を行う。被取付部６５を取付け領域６１に設けられた取付部６０に縫着し、ボタン６４をボタンホール６３に係合させることで、背力布６を取付け部６０とボタン６４の間に介設することができる。
【００５５】
背力布６は、取付部６０とボタン６４間の長さよりも短く形成され、かつボタン６４は図３に示すように、帯（図示せず）によって押圧される位置に取り付けられているので、背力布６の被取付部６５にボタン６４側への牽引力が生じる。このボタン６４側への牽引力は取付け領域６１に伝わることで、衿５が後方に傾倒するので、衿抜き作業をすることなく衿抜きがされた衿と同様の美しい形状の衿５を形成することができると共に、背力布６によって着物の形状が略一定保持されるので、着用時に衿の位置がずれるなどの着崩れが生じにくくなる。さらに、背力布６は、着物Ａの内側に取付けられるため着物Ａの外観を損なうことないので、美しい形状を有する着物が形成される。
【００５６】
なお、ボタン６４及びボタンホール６３の取付け作業は、必ずしも衿関連部材取付け工程Ｓ４において行うことに限られず、例えば、後述する本体仕上げ工程Ｓ９の後に行っても良い。
【００５７】
［４−２］後衿取付け過程Ｓ４１
後衿取付け過程Ｓ４１では、上身頃１０ａ、１０ｂの後衿付線１３０ａ、１３０ｂに沿って、衿５のうち後側上身頃１００ａ、１００ｂ側に取付けられる衿後部５０を縫着する。これにより、図３及び図４に示すように、肩山線より後ろ側の後側上身頃途中にかけて中心角略９０度の円弧状の後衿付線１３０ａ、１３０ｂに沿って縫着される衿後部５０は従来の後衿の位置よりも後方に傾倒するので、衿抜き作業を行うことなく、衿抜きがされた衿と同様の美しい形状の衿５を形成することができるので、一人でも容易かつ迅速に着用することができる。
【００５８】
［４−３］前衿取付け過程Ｓ４２
前衿取付け過程Ｓ４１では、上身頃１０ａ、１０ｂの前衿付線１３１ａ、１３１ｂに沿って、衿５のうち前側上身頃１０１ａ、１０１ｂ側に取付けられる衿前部５１を縫着する。これにより、前衿付線１３１ａ、１３１ｂに沿って縫着される衿前部５１は立体的に胸元に沿った形状に取付けられるので、胸元を合わせる作業を省くことができ、一人でも容易に着用することができる。
【００５９】
［５］袖付け工程Ｓ５
袖付け工程Ｓ５では、上身頃１０ａ、１０ｂの外側縁部１５に袖９を縫着する作業を行う。袖９を二つに折り、袂９０が形成されるよう縁部を縫着する。袂９０が形成された側と反対側の縁部を、上身頃１０ａ、１０ｂの袖通し用孔１７ａ、１７ｂに取り付ける。これにより、着用者が袖通し用孔１７ａ、１７ｂから袖９に袖を通すことができる。
【００６０】
［６］第２内縁部接続工程Ｓ６
第２内縁部接続工程Ｓ６では、後下身頃４０ａ、４０ｂを縫着する作業を行う。左後下身頃４０ａの内側背縫い部４３ａと右後下身頃４０ｂの内側背縫い部４３ｂを縫着する。これにより、後下身頃４０ａ、４０ｂが一体に形成される。
【００６１】
［７］衽付け工程Ｓ７
衽付け工程Ｓ７では、前下身頃２０ａ、２０ｂに衽３０ａ、３０ｂを縫着する作業を行う。前下身頃２０ａ、２０ｂの衽取付け縁部２４ａ、２４ｂに衽３０ａ、３０ｂを取り付ける。これにより、前下身頃２０ａ、２０ｂと衽３０ａ、３０ｂが一体に形成される。
【００６２】
［８］足周り接続工程Ｓ８
足周り接続工程Ｓ８では、左前下身頃２０ａと左後下身頃４０ａ、及び右前下身頃２０ｂと右後下身頃４０ｂを縫着する作業を行う。左前下身頃２０ａの外側縁部と左後下身頃４０ａの外側縁部を縫着して左体側縫着部８ａを形成し、右前下身頃２０ｂの外側縁部と右後下身頃４０ｂの外側縁部を縫着して右体側縫着部８ｂを形成する。これにより、左前下身頃２０ａと左後下身頃４０ａ、及び右前下身頃２０ｂと右後下身頃４０ｂが一体に形成される。
【００６３】
［９］本体仕上げ工程Ｓ９
本体仕上げ工程では、上下身頃１、２、４を接続し、お端折７を形成し、お端折７の端部７１、７４が接続される接続部の取付を行う。
【００６４】
［９−１］上下身頃接続工程Ｓ９０
上下身頃接続工程Ｓ９０では、上身頃１０ａ、１０ｂと、前下身頃２０ａ、２０ｂ及び後下身頃４０ａ、４０ｂを縫着する作業を行う。上身頃１０ａ、１０ｂの前端側縁部１２０ａ、１２０ｂに、前下身頃２０ａ、２０ｂを縫着すると共に、上身頃１０ａ、１０ｂの後端側縁部１４０ａ、１４０ｂに、後下身頃４０ａ、４０ｂを縫着する。これにより、上身頃１０ａ、１０ｂと、前下身頃２０ａ、２０ｂ及び後下身頃４０ａ、４０ｂが一体に形成されると共に、前端側縁部１２０ａ、１２０ｂが内側に向かって肩山線１１ａ、１１ｂ側に傾斜していることから、図２（ｂ）に示すように、褄先２３が上方に持ち上がるので、全体として裾窄まりの形状を形成することができる。
【００６５】
［９−２］お端折形成工程Ｓ９１
お端折形成工程Ｓ９１では、お端折部７を形成して縫着する作業を行う。上身頃１と、前下身頃２０ａ、２０ｂの上端部２１ａ、２１ｂ及び後下身頃４０ａ、４０ｂの上端部４１ａ、４１ｂとが縫着された縫着部８０付近を折返して重ねてお端折部７を形成する。図４に示すように、このお端折部７の上部７０付近で重なっている上身頃１、前下身頃２０ａ、２０ｂ、及び後下身頃４０ａ、４０ｂを縫着することにより、お端折部７の形状は保持されるので、着用時にお端折部７を形成する作業をすることなく、一人でも容易かつ迅速に着用することができる。
【００６６】
［９−３］接続具取付け工程Ｓ９２では、お端折部７の巻始め端部７１や巻終り端部７４又はその近傍に接続具である主ファスナー７２や７５を設け、中間部位に従ファスナー７３…と７６…を縫い付けてある。お端折部７の始端７１近傍の下身頃２、４には主ファスナー７２が設けられ、及び主ファスナー７２と係合可能な従ファスナー７３…は、お端折部７の内面の一周位置７ｔ、すなわち左体側縫着部８ａの上身頃１０ａ側寄りに設けられている。主ファスナー７２と従ファスナー７３…を係合させることで、右前下身頃２０ｂ、右前下身頃２０ｂと縫着された右衽３０ｂ、及び右前下身頃２０ｂが縫着された右上身頃１０ｂにより着用者の前面を被覆するように固定することができるので、着用時に着崩れするのを防ぐことができると共に、一人でも容易かつ迅速に着用することができる。
【００６７】
お端折部７の巻終り端部７４近傍の下身頃２には、主ファスナー７５が取付けられ、主ファスナー７５と係合可能な従ファスナー７６…は、お端折部７の全長の位置の外面に設けられている。
主ファスナー７５と従ファスナー７６…中の一つを体形に応じて選んで装着係合させることで、左前身頃２０ａ、左前身頃２０ａと縫着された左衽３０ａ、及び左前身頃２０ａが縫着された左上身頃１０ａにより着用者の前面を被覆するように固定することができるので、着用時に着崩れるのを防ぐことができると共に、一人でも容易かつ迅速に着用することができる。
【００６８】
これにより、着用者の前面を覆う生地が主ファスナー７２、７５と３本構成の従ファスナー７３…、７６…との装着接続により固定されるので、着用時に着物の胸元が徐々に開いてしまうなどの着崩れを防ぎやすくなる。
【００６９】
なお、本実施例では、従ファスナー７３…、７６…を三本設けているので、所望の一つを選択することで、様々な胴回りのサイズに対応させることができる。前記主ファスナー７２、７５も三本のように、主ファスナー７５も三本のように、複数設けることで、合計９種類の装着接続ができ、より細かいサイズ選択が可能となる。主ファスナーと従ファスナーとの個数を逆にして、主ファスナー複数個、従ファスナーを１個のみとしてもよい。さらに、各サイズごとにファスナーの色を変えるようにしてもよく、この場合着用時に対応する主従のファスナーを容易に見つけることができて能率的である。
【００７０】
着脱具や支持具は、より具体的には、スライダーＳを要するファスナーの他にボタンやフック、ホック、マジックテープ（登録商標）或いは紐やリボンを縫い付けても足りる。すなわち、紐やリボンの一端を縫い付けておき、縫い付けずにフリーの状態にした他端同士を結んで装着接続する。
この着脱具や支持具は、着物自体に取付けてもよいが、着物を着る際にお端折部を形成する場合は、このお端折部の形成位置を想定して取付ける。お端折部を形成しない着方をする場合は、お端折部を形成する高さや帯の高さを想定して取付けることになる。
【００７１】
また、本発明に係る着物の上身頃１や下身頃２，４の寸法を適宜変えることで、様々な体型にそれぞれに対応した着物を製造することができる。
【００７２】
さらに、本実施例では上身頃と下身頃を縫着した縫着部８０にお端折を形成しているが、図４（ｃ）に示すように、下身頃にお端折部７を形成した後に、該下身頃２、４を上身頃１の下端に縫着するようにしてもよい。
【００７３】
この場合は、下身頃２、４のお端折部７は折畳んで、上身頃１に縫着することによりお端折部７と上下身頃１、２、４を一体的に逢着することができる。このため、縫着回数は一回で済み、作業負担が軽減される。
【００７４】
［着用方法］
本発明の着物に係る着用方法について、図６を用いて説明する。
［１］第１工程（Ｓ２１）第１工程Ｓ２１では、本発明に係る着物をはおる作業を行う。第１工程は、衿刳り構造があらかじめ形成された着物の着用工程Ｓ２１ａ及び立体構造があらかじめ形成された着物の着用工程Ｓ２１ｂより構成される。
【００７５】
［１−１］着物の着用工程（Ｓ２１ａ）
着物の着用工程Ｓ２１ａでは、被取付部６５が、取付け領域６１内の所定の取付部６０に取付けられ、被係合部であるボタンホール６３が、係合部であるボタン６４に取付けられた着物を着用することで、衿後部５０は後方に傾倒するので、衿抜き作業を行うことなく、衿抜きがされた衿と同様の美しい形状の衿５を有する着物を、一人でも容易かつ迅速に着用することができる。
【００７６】
［１−２］着物の着用工程（Ｓ２１ｂ）
着物の着用工程Ｓ２１ｂでは、上身頃対１、前下見頃対２及び後下見頃対４の部材に分割することによって、着用者の身体の凹凸に沿って立体的に形成することができると共に、上身頃１と下身頃２、４間を折畳んでお端折部７を形成することによって、お端折部７作成のための作業負担が軽減される。これにより、着物全体の形状等の微調整を行うことなく、容易かつ迅速に着用することができる。
【００７７】
［２］第２工程（Ｓ２２）
第２工程（Ｓ２２）では、上身頃対１に取付けた袖９に腕を通した後、お端折部７の一端を巻いて、所定位置で固定する作業を行う。右前下身頃２０ｂ及び右上身頃１０ｂを固定することができるので、胸元が開くなどの着崩れを防ぐことができる。
【００７８】
［２］第３工程（Ｓ２３）
第３工程（Ｓ２３）では、お端折の他端を巻いて、お端折部の中間に固定する作業を行う。着用者は左前下身頃２０ａを巻いて主ファスナー７２、７５と従ファスナー７３…、７６…を装着係合させて固定することにより、右前下身頃２０ｂ及び右上身頃１０ｂを固定することができるので、胸元が開くなどの着崩れを防ぐことができる。
【００７９】
このように、本発明の実施の形態に係る着物を着用することで、従来行っていた裾の位置決め、お端折の形成、衿元の位置決めや衿抜きの作業を行うことなく、容易に着用することができる。即ち、例えば、着物の着用に不慣れな外国の旅行者であっても簡便に着用することができるので、着物を手軽に着用して写真撮影などを行いたい場合などに適した着用方法である。
【産業上の利用可能性】
【００８０】
以上のように、本発明では、着物自体又は帯で隠れる高さに設けたお端折部にファスナー等のような装着具や支持具を取付けた着物であって、お端折部の始端部及び終端部に１以上の装着具を取付け、前記の始端部及び終端部の装着具が装着係合して接続する１以上の支持具をお端折部の長さの一周位置や全長位置に取付け、前記の装着具や支持具を着物自体に取付ける場合は、帯で隠れる高さに設けてあるので、本発明の着物の着用時は、体形の如何に係わらず、従来の美しい形態を保ちながらも、着崩れしにくく、一人でも容易かつ迅速に着用できる。
【符号の説明】
【００８１】
１    上身頃対
２    前下身頃対
３    衽対
４    後下身頃対
５    衿
６    背力布（衿抜き部材）
７    お端折部
９    袖
１０ａ、１０ｂ    左右の上身頃
１１ａ、１１ｂ    肩山線
１２ａ、１２ｂ    前端側領域
１３  衿付部（衿刳り）
１４ａ、１４ｂ    後端側領域
１５  外側縁部
１６  背縫い部（傾斜内縁部）
２０ａ、２０ｂ    前下身頃
２１ａ、２１ｂ    上端部（上身頃側領域）
２４ａ、２４ｂ    衽取付け縁部
３０ａ、３０ｂ    衽
４０ａ、４０ｂ    後下身頃
４１ａ、４１ｂ    上端部（上身頃側領域）
４３ａ、４３ｂ    内側背縫い部（内側縁部）
５０  衿後部
５１  衿前部
６０  取付部
６１  取付け領域
６３  ボタンホール
６４  ボタン
７１  お端折部の長手方向始端部
７２  主ファスナー
７３…  従ファスナー
７４  お端折部の長手方向終端部
７５  主ファスナー
７６…  従ファスナー
１００ａ、１００ｂ    後側上身頃
１０１ａ、１０１ｂ    前側上身頃
１２０ａ、１２０ｂ    前端側縁部（傾斜前縁部）
１３０ａ、１３０ｂ    後衿付線
１３１ａ、１３１ｂ    前衿付線
１３２  後衿部
１３３  前衿部
１４０ａ、１４０ｂ    後端側縁部
１５０ａ、１５０ｂ    前外側縁部
１５１ａ、１５１ｂ    後外側縁部
１６０ａ、１６０ｂ    内側縁部
１６１ａ、１６１ｂ    縁部領域
【図１】
2019023362.tif 000003
【図２】
2019023362.tif 000004
【図３】
2019023362.tif 000005
【図４】
2019023362.tif 000006
【図５】
2019023362.tif 000007
【図６】
2019023362.tif 000008
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
右巻き方向又は左巻き方向に着るお端折部を形成する若しくはお端折部無しの着物自体又はハーフファスナーが帯で隠れるように予め取付けたお端折部又は着物の始端外面に始端ハーフファスナーを取付けてあり、この始端ハーフファスナーを装着して支持する始端支持ハーフファスナーを前記着物又はお端折部の内面の１周位置に取付けてあり、
また前記お端折部の終端内面に終端ハーフファスナーを取付けて、この終端ハーフファスナーを装着して支持する終端支持ハーフファスナーを前記着物又はお端折部の外面のお端折部全長位置に取付けてあり、
前記の始端側及び終端側のハーフファスナーは、始端側及び終端側とその支持側との片方を２以上とし、他方を１以上とすると共に、各ハーフファスナーは上下に長いことを特徴とする着物。
【請求項２】
前記ハーフファスナーに代わる紐又はリボンを使用する構成であって、上下に長いハーフファスナーの上端と下端に相当する部位に互いに結ばれる紐又はリボンを取付けてあることを特徴とする請求項１記載の着物。
【請求項３】
右巻き方向又は左巻き方向に着るお端折部を形成する若しくはお端折部無しの着物自体又はハーフファスナーが帯で隠れるように予め取付けたお端折部又は着物の始端外面に始端ハーフファスナー又は始端紐若しくはリボンを取付けてあり、この始端ハーフファスナー又は始端紐若しくはリボンを装着して支持する始端支持ハーフファスナー又は始端支持紐若しくはリボンを前記着物又はお端折部の内面の１周位置に取付けてあり、
また前記お端折部の終端部を支持する終端ハーフファスナー又は終端紐若しくはリボンを取付けて、この終端ハーフファスナー又は終端紐若しくはリボンを装着して支持する終端支持ハーフファスナー又は終端支持紐若しくはリボンを前記着物又はお端折部の外面のお端折部全長位置に取付けてあり、
前記の始端側及び終端側のハーフファスナー又は紐若しくはリボンは、始端側及び終端側とその支持側との片方を２以上とし、他方を１以上とした着物を着る際に、
太った体形の人が着る場合は、前記の始端支持ハーフファスナー又は始端支持紐若しくはリボン及び前記の終端支持ハーフファスナー又は終端支持紐若しくはリボンのお端折部着用長さが長くなるように前記の始端支持ハーフファスナー又は始端支持紐若しくはリボン及び前記の終端支持ハーフファスナー又は終端支持紐若しくはリボンを選択し、
痩身者が着る場合は、前記のお端折部着用長さが短くなるように前記の始端支持ハーフファスナー又は始端支持紐若しくはリボン及び前記の終端支持ハーフファスナー又は終端支持紐若しくはリボンを選択することを特徴とする着物の着付け方法。
【請求項４】
衿部分の真後ろに縦帯状の背力布の上端が接続されており、前記背力布の下端又は下端近傍を着物の後身頃の内面に着脱する構成となっており、前記背力布を下方に引いて衿抜きした状態で、前記後身頃の内面に装着固定する構造を特徴とする請求項１又は請求項２に記載の着物。
【手続補正２】
【補正対象書類名】明細書
【補正対象項目名】全文
【補正方法】変更
【補正の内容】
【発明の詳細な説明】
【技術分野】
【０００１】
本発明は、着物及び着物の着付け方法に関する。詳しくは、一人でも各種サイズに対応して容易かつ迅速に着崩れしにくい着付けができる技術を実現する。
【背景技術】
【０００２】
着物は、様々な体型の人が着用することができるようゆとりをもって作られているので、着用時に個々の体型に合わせて微調整する作業が必要である。具体的には、「衿抜き」と言われる、衿の後ろ部分の空き具合、裾にかけてすぼまった形状、お端折の形成、背中部分の後身頃に皺ができないように生地を身体に添わせるなどである。これらの作業は、着用時の美しい形状を形成するため、必要な作業とされている。このため、着物を一人で着用できるようになるにはある程度の時間が必要となり、たとえ一人で着用できるようになっても、着用していると徐々に着崩れてしまうことから、着物を着用することにわずらわしさを感じ、いわゆる「着物離れ」が生じてしまっている。そして、この結果として着物を一人で着付けすることができない人が増えている。
特に、体形的に太った人が居れば、痩せた体形も有る。また、衿の後ろ部分を後方に倒す「えり抜き」と言われる作業は、鏡を見ながら片手を背中側に回して行う作業となるため、難しいとされる。
【０００３】
このようなことから、特許文献１に示すように、身頃の脇線の一部を裾にかけて裾窄まりに形成されるよう予め身頃の裾付近を斜めに裁った着物が考案されている。これにより、着物の美しい形状の一つである裾窄まりの形状が自然と形成される。また、特許文献２に示すように、上衣と下衣に分かれた、上下二部式の着物も考案されている。これにより、お端折を容易に形成することが出来、また後身頃にダーツを設けて予め体型に沿った形状に形成しているので、微調整する必要がなく容易に着用することができる。
【先行技術文献】
【特許文献】
【０００４】
【特許文献１】特開２００７−７７５５３号公報
【特許文献２】特開２００７−１６３７２号公報
【発明の概要】
【発明が解決しようとする課題】
【０００５】
しかしながら、特許文献１に記載された着物では、着物の柄のデザイン性が大きく損なわれることが考えられる。着物の柄は、従来の裁断方法で裁断されることを前提として、反物の幅に合ったデザインが施されており、このような柄を無視して裁断すると、隣接する身頃の柄に違和感が生じてしまうだけでなく、従来通りの衿抜きの作業を行わなければならない点については解消されていない。このため、着物の美しい形状が損なわれてしまうことが考えられる。
【０００６】
また、特許文献２に記載された着物では、上衣の裾を両面テープで折畳むことでお端折を形成しているため、着崩れし易いだけでなく、後身頃にダーツを設けたことで後身頃に生地の皺が生じやすくなり、着物の美しい形状が形成され難い。
【０００７】
本発明の技術的課題は、このような問題に着目し、体形と関係無く着物の着付け時に美しい形状を形成し、着崩れしにくく、しかも一人でも容易かつ迅速に着付けることができる技術を実現することにある。
【課題を解決するための手段】
【０００８】
本発明の技術的課題は次のような手段によって解決される。請求項１は、右巻き方向又は左巻き方向に着るお端折部を形成する若しくはお端折部無しの着物自体又はハーフファスナーが帯で隠れるように予め取付けたお端折部又は着物の始端外面に始端ハーフファスナーを取付けてあり、この始端ハーフファスナーを装着して支持する始端支持ハーフファスナーを前記着物又はお端折部の内面の１周位置に取付けてあり、
また前記お端折部の終端内面に終端ハーフファスナーを取付けて、この終端ハーフファスナーを装着して支持する終端支持ハーフファスナーを前記着物又はお端折部の外面のお端折部全長位置に取付けてあり、
前記の始端側及び終端側のハーフファスナーは、始端側及び終端側とその支持側との片方を２以上とし、他方を１以上とすると共に、各ハーフファスナーは上下に長いことを特徴とする着物である。
前記の始端ハーフファスナーと始端支持ハーフファスナーとは、ハーフファスナーを始端支持ハーフファスナーに装着すると互いに嵌合支持されて固定され、お端折部の始端が揺れたり移動できなくなる。終端の場合も同様である。また、始端ハーフファスナーが始端支持ハーフファスナーから離脱すると離れて互いに自由となる仕組みで、図示のハーフファスナーは、左右の務歯列やスライダーは金属や合成樹脂など、硬度と耐磨耗性に富む材質である。このような、固い材質が着物に混じっているのを好まない人も居るが、その場合を考慮して、請求項２のように、リボンや紐も代用できる。
すなわち、図２の主ファスナー７２、７５と従ファスナー７３…、７６…に代えて、紐やリボンを縫い付けておく構造も可能である。すなわち紐やリボンの両側を縫い付けて１本で主又は従のファスナーの代用にしても良いが、紐やリボンを２本ずつ用いて一端はファスナー７２〜７６…の上端と下端の両方に縫い付けておいて、他端のフリーの部分同士を蝶結びなどで結んで着脱可能とする。
【０００９】
請求項２は、前記ハーフファスナーに代わる紐又はリボンを使用する構成であって、上下に長いハーフファスナーの上端と下端に相当する部位に互いに結ばれる紐又はリボンを取付けてあることを特徴とする請求項１記載の着物である。
【００１０】
請求項３は、右巻き方向又は左巻き方向に着るお端折部を形成する若しくはお端折部無しの着物自体又はハーフファスナーが帯で隠れるように予め取付けたお端折部又は着物の始端外面に始端ハーフファスナー又は始端紐若しくはリボンを取付けてあり、この始端ハーフファスナー又は始端紐若しくはリボンを装着して支持する始端支持ハーフファスナー又は始端支持紐若しくはリボンを前記着物又はお端折部の内面の１周位置に取付けてあり、
また前記お端折部の終端部を支持する終端ハーフファスナー又は終端紐若しくはリボンを取付けて、この終端ハーフファスナー又は終端紐若しくはリボンを装着して支持する終端支持ハーフファスナー又は終端支持紐若しくはリボンを前記着物又はお端折部の外面のお端折部全長位置に取付けてあり、
前記の始端側及び終端側のハーフファスナー又は紐若しくはリボンは、始端側及び終端側とその支持側との片方を２以上とし、他方を１以上とした着物を着る際に、
太った体形の人が着る場合は、前記の始端支持ハーフファスナー又は始端支持紐若しくはリボン及び前記の終端支持ハーフファスナー又は終端支持紐若しくはリボンのお端折部着用長さが長くなるように前記の始端支持ハーフファスナー又は始端支持紐若しくはリボン及び前記の終端支持ハーフファスナー又は終端支持紐若しくはリボンを選択し、
痩身者が着る場合は、前記のお端折部着用長さが短くなるように前記の始端支持ハーフファスナー又は始端支持紐若しくはリボン及び前記の終端支持ハーフファスナー又は終端支持紐若しくはリボンを選択することを特徴とする着物の着付け方法である。
【００１１】
請求項４は、衿部分の真後ろに縦帯状の背力布の上端が接続されており、前記背力布の下端又は下端近傍を着物の後身頃の内面に着脱する構成となっており、前記背力布を下方に引いて衿抜きした状態で、前記後身頃の内面に装着固定する構造を特徴とする請求項１又は請求項２に記載の着物である。
着脱手段として、実施例ではボタンをボタンホールに嵌入して装着する例を図示したが、ボタンに代えてフックを用いても良い。
【発明の効果】
【００１２】
請求項１のように、始端ハーフファスナーを装着して支持する複数の始端支持ハーフファスナーを前記着物又はお端折部の内面の１周位置に取付けてある。
また、前記お端折部の終端内面に１以上の終端ハーフファスナーを取付けて、この終端ハーフファスナーを装着して支持する複数の終端支持ハーフファスナーを前記お端折部の外面のお端折部全長位置に取付けてあるので、着用者の腹囲寸法の差異に対応して、複数のハーフファスナーの一つを選んで使用することで、どのような体形にも対応できる。
【００１３】
請求項２のように、前記のハーフファスナーに代わる紐又はリボンを使用する構成であって、上下に長いハーフファスナーの上端と下端に相当する部位に互いに結ばれる紐又はリボンを取付けてある。従って、ハーフファスナーのような固い材質が着物に混じっているのを好まない場合は、リボンや紐を代用できる。
【００１４】
請求項３のように、前記の着物を着る際に、太った体形の人が着る場合は、お端折部着用長さが長くなるように前記の始端支持ハーフファスナー（又は始端支持紐若しくはリボン）及び前記の終端支持ハーフファスナー（又は終端支持紐又はリボン）を選択し装着する。
また、痩身者が着る場合は、前記のお端折部着用長さがが短くなるように、前記の始端支持ハーフファスナー（又は始端支持紐若しくはリボン）及び前記の終端支持ハーフファスナー（又は終端支持紐又はリボン）を選択し、複数から一つを選んで使用することで、どのような体形にも対応できる。
【００１５】
請求項４のように、背力布を下方に引いて衿抜きした状態で、前記後身頃の内面に装着固定するが、図３の実施例では、ボタンをボタンホールに係合させることで背力布をボタン側に牽引して衿抜き可能とした。このように、背力布の下端を下に引いて装着するだけで衿抜でき、一人でも容易かつ迅速に衿抜きができる。
【図面の簡単な説明】
【００１６】
【図１】本実施例の着物を構成する上身頃対、前下身頃対及び後下身頃対の形状を表した展開図である。
【図２】本実施例の着物のサイズ調節構成を示す正面図である。
【図３】本実施例の着物の後衿部の構成を示す斜視図である。
【図４】本実施例の着物の背力布を示す断面図である。
【図５】本実施例の着物の製造方法を示す工程図である。
【図６】本実施例の着物の着用方法の工程図である。
【発明を実施するための形態】
【００１７】
次に本発明による着物の構成及び着物の着付け方法について、図１乃至図６を参照しながら説明し、本発明の理解に供する。なお、本明細書では、「左」「右」とは、それぞれ順に、着用者にとっての左手側を、着用者にとっての右手側を示す。また、「前」「後」、それぞれ順に、着用者にとっての前方を、着用者にとっての後方を示す。そして、「上」「下」とは、それぞれ順に、着用者にとって足部から頭部に向けての方向を、着用者にとって頭部から足部に向けての方向を示す。さらに、「内側」「外側」とは、それぞれ順に着用者の身体の中心に近い側を、着用者の身体の中心から遠い側を示す。なお、図１において縫い代は省略している。
【００１８】
本発明に係る着物について、図１乃至図４を用いて説明する。まず、図１乃至図３に示すように、本実施の形態の着物は、上身頃対１、前下身頃対２、衽対３、後下身頃対４、衿５、衿抜き部材の一例である背力布６、袖９の構成部材から成る。
【００１９】
上身頃対１は左上身頃１０ａ及び右上身頃１０ｂから成り、それぞれ長手方向の略中央に肩山線１１ａ、１１ｂを有する。肩山線１１ａ、１１ｂを含む領域の生地は、本実施の形態の着物を着用した際、着用者の肩の最上部付近に位置する。
【００２０】
左右の上身頃１０ａ、１０ｂのうち、肩山線１１ａ、１１ｂを境にして、着用時に着用者の前側に位置する部分を前側上身頃１０１ａ、１０１ｂとし、後側に位置する部分を後側上身頃１００ａ、１００ｂとする。左右の上身頃１０ａ、１０ｂは、図１においては略左右反転した形状を有し、上身頃１０ａ、１０ｂとも他方の上身頃と対向する縁部は、後側上身頃１００ａ、１００ｂから前側上身頃１０１ａ、１０１ｂにかけて切欠かれている。
【００２１】
具体的には、後側上身頃１００ａ、１００ｂは中心角略９０度の円弧状に切欠かれて、後衿付線１３０ａ、１３０ｂが形成される。この後衿付線１３０ａ、１３０ｂに連続するようにして、前側上身頃１０１ａ、１０１ｂの肩山線１１ａ、１１ｂから前端側領域１２ａ、１２ｂにかけて斜めに切欠かれた前衿付線１３１ａ、１３１ｂが形成される。
そして、このような後衿付線１３０ａ、１３０ｂを有する後衿部１３２と、前衿付線１３１ａ、１３１ｂを有する前衿部１３３とを併せて、衿刳りの一例である衿付部１３が形成される。
【００２２】
この後衿付線１３０ａ、１３０ｂに沿って衿５の衿後部５０を取付けることで、衿５が後方に傾倒し、自然と衿抜きがされた衿と同様の美しい形状の衿５を形成することができると共に、衿抜きの作業をすることなく、一人でも容易かつ迅速に着用することができる。
【００２３】
また、前衿付線１３１ａ、１３１ｂに沿って衿５の衿前部５１を取付けることで、胸元の衿が自然と合わさった、美しい形状の衿５を形成することができると共に、胸元を合わせる作業をすることなく、一人でも容易かつ迅速に着用することができる。
【００２４】
また、傾斜内縁部の一例である、上身頃１０ａ、１０ｂの背縫い部１６は、後側上身頃１００ａ、１００ｂの内側の縁部であって、後衿付線１３０ａ、１３０ｂの部分を除いた縁部である内側縁部１６０ａ、１６０ｂと、その近傍であって、背中部分や脇部分に位置する縁部領域１６１ａ、１６１ｂとから成る。内側縁部１６０ａ、１６０ｂは、肩山線１１ａ、１１ｂから後端側領域１４ａ、１４ｂに向けて離間するにしたがって、外側に傾斜して形成されている。
【００２５】
この内側縁部１６０ａ、１６０ｂを縫着することで、上身頃を略筒状に形成することができると共に、下方を細くして上身頃１を着用者の胴回りに沿った、下窄まりの立体的な形状に形成することができると共に、着用時の背中部分や脇部分である縁部領域１６１ａ、１６１ｂに、生地の皺が生じるのを防ぐことができる。
【００２６】
なお、胴回りが太い着用者の場合には、内側縁部１６０ａ、１６０ｂの傾斜角度を変えるなどして徐々に垂直方向に近づけることで対応することができる。
【００２７】
また、上身頃１０ａ、１０ｂの外側縁部１５は、前外側縁部１５０ａ、１５０ｂ及び後外側縁部１５１ａ、１５１ｂから成る。前外側縁部１５０ａ、１５０ｂは肩山線１１ａ、１１ｂから前端側領域１２ａ、１２ｂにかけて内側に傾斜している。後外側縁部１５１ａ、１５１ｂは、肩山線１１ａ、１１ｂから後端側領域１４ａ、１４ｂにかけて内側に傾斜している。
【００２８】
前外側縁部１５０ａ、１５０ｂの一部と、後外側縁部１５１ａ、１５１ｂの一部を縫着す
ることで、上身頃を略筒状に形成することができると共に、下方を細くして上身頃１を着用者の胴回りに沿った、下窄まりの立体的な形状に形成することができる。
【００２９】
背力布６は帯状の形状を有し、伸縮性のない素材で形成されている。また、背力布６の一端であり、被取付部６５は、着物Ａの内側で後衿付線１３０ａ、１３０ｂと内側縁部１６０ａ、１６０ｂとが交わる交点又はその周辺の取付け領域６１内の所定の取付部６０に取付けられる。また、背力布６の他端である被係合部であるボタンホール６３は、後下見頃対４の内面の所定の係合部であるボタン６４に取付けられる。
【００３０】
後身頃の一部に取付けられた係合部の一例であるボタン６４をボタンホール６３に係合することで背力布６にボタン６４側の牽引力を持たせることができる。
【００３１】
背力布６は、取付部６０とボタン６４間の長さよりも短く形成され、かつボタン６４は帯（図示せず）によって押圧される位置に取り付けられているので、背力布６の被取付部６５にボタン６４側への牽引力が生じる。このボタン６４側への牽引力が取付け領域６１に加えられることで、衿５が後方に傾倒するので、衿抜き作業をすることなく衿抜きがされた衿と同様の美しい形状の衿５を形成することができる。また、背力布６によって着物の形状が略一定に保持されるので、着用時に衿の位置がずれるなどの着崩れが生じにくくなる。さらに、背力布６は、着物Ａの内側に取付けられるため着物Ａの外観を損なうことがないので、美しい形状を有する着物が形成される。
【００３２】
また、背力布６により取付け領域６１にボタン６４側への牽引力が加えられた際には、図４（ａ）（ｂ）に示すように、縁部領域１６１ａ、１６１ｂの余分な布地はボタン６４側に引っ張られてお端折部７の内側に折畳まれて収容される。このため、生地がお端折部７の表面に露出することを防ぐことができる。
【００３３】
なお、ボタンホール６３が設けられる位置は、背力布６の端部に限られるものではなく、背力布６の途中部に設けることができ、また複数個所設けることもできる。この場合、取付け領域６１とボタン６４の取付け位置までの長さを容易に変更することができるので、着用者の体型に適した長さにすることができる。そして、ボタンホール６３の位置に応じて取付け領域６１に加えられる牽引力の大きさが変化するので、ボタンホール６３の位置を選択して衿５の傾倒する角度を調整することができる。また、本実施例では、背力布６の幅は約７センチに形成されているが、これに限られるものではない。例えば、背力布の幅を７センチよりも細くすると、衿後部の形状をやや幅狭な形状にすることができ、７センチよりも太くすると、衿後部は丸みを帯びた形状に形成される。なお、背力布６は伸縮性のない素材に限定されるものではなく、ゴムなどの弾性材を用いても良い。
【００３４】
衽対３は、帯状の左右の衽３０ａ、３０ｂから成り、その幅方向の一端は前下身頃２０ａ、２０ｂの幅方向の内側の端部に縫着される。
【００３５】
前下身頃対２は、帯状の左右の前下身頃２０ａ、２０ｂから成り、上身頃側領域の一例である上端部２１ａ、２１ｂは上身頃１０ａ、１０ｂの前端側領域１２ａ、１２ｂに縫着される。本実施例においては、前下身頃２０ａ、２０ｂの幅は、前端側領域１２ａ、１２ｂの幅と略同一に形成されている。なお、前下身頃２０ａ、２０ｂの幅は、前端側領域１２ａ、１２ｂの幅と略同一の長さに形成されることに限られず、着用者のサイズに合わせて、適宜変更することができる。
【００３６】
ここで、前端側領域１２ａ、１２ｂの傾斜前縁部の一例である前端側縁部１２０ａ、１２０ｂは、外側から内側に向けて肩山線１１ａ、１１ｂ側に傾斜している。このため、前端側縁部１２０ａ、１２０ｂに前下身頃２０ａ、２０ｂ及び衽３０ａ、３０ｂを縫着すると
、前下身頃２０ａ、２０ｂの下端部２２ａ、２２ｂ、及び衽３０ａ、３０ｂの下端部３１ａ、３１ｂは、外側から内側に向けて傾斜した形状となる。その結果、図２（ｂ）に示すように、衽３０ａの下端部３１ａの褄先２３が持ち上がった、いわゆる裾窄まりの形状が自然と形成される。
【００３７】
なお、右前下身頃２０ｂと右衽３０ｂを別個に裁断せず、一体の生地として裁断しても良い。右衽は着用時に、左衽及び左前下身頃に覆われて露出しないので、右前下身頃と右衽を一体に裁断することで縫着する手間を省くことが出来るからである。
【００３８】
後下身頃対４は、帯状の左右の後下身頃４０ａ、４０ｂから成り、上身頃側領域の一例である上端部４１ａ、４１ｂは上身頃１０ａ、１０ｂの後端側領域１４ａ、１４ｂに縫着される。後下身頃４０ａ、４０ｂの幅は、後端側領域１４ａ、１４ｂの後端側縁部１４０ａ、１４０ｂ幅と略同一に形成されている。なお、後下身頃４０ａ、４０ｂの幅は、後端側領域１４ａ、１４ｂの幅と略同一の長さに形成されることに限られず、着用者のサイズに合わせて、適宜変更することができる。
【００３９】
ここで、後端側縁部１４０ａ、１４０ｂは、肩山線１１ａ、１１ｂと略平行に配置されている。このため、後端側縁部１４０ａ、１４０ｂに後下身頃４０ａ、４０ｂを縫着すると、後下身頃４０ａ、４０ｂの下端部４２ａ、４２ｂは、略水平に配置される。
【００４０】
図４（ｂ）に示すように、上身頃１と前下身頃２０ａ、２０ｂの上端部２１ａ、２１ｂ及び後下身頃４０ａ、４０ｂの上端部４１ａ、４１ｂとが縫着された縫着部８０付近を折返して重ねた重なり部にお端折部７が形成される。このお端折部７の上部７０付近で重なっている上身頃１、前下身頃２０ａ、２０ｂ、及び後下身頃４０ａ、４０ｂにお端折部７を縫着することにより、お端折部７の形状は保持されるので、着用時にお端折部７を形成する作業をすることなく、一人でも容易かつ迅速に着用することができる。
【００４１】
着物を着る場合、通常、身体に着物を時計廻りに巻きつけるように右袖の有る右端から先に身体に巻くように着るので、図２のように、左前の着方になる。上方から見た場合、「の」の字の筆順の順序で右廻りに着る。逆に、下方から見て、「の」の字を左右反転した順序で左廻りに着ることも可能であり、この場合は、右前の着方になる。図示着物には、お端折部７の上端縁を予め着物に縫い付け支持してある。図示のお端折部７は、帯のように上端縁と下端縁間の幅で長く形成されている。「長く」と言っても、着用者の胴の外面に巻いた場合の約一周半程度の長さ、すなわち着物を着た場合の着物の胴廻り寸法とする。
【００４２】
図２は、着物のサイズ調節構成の実施例を示す正面図である。お端折部７の巻始めすなわち始端７１の近傍内側にある下身頃の部分には主ファスナー７２のような始端着脱具７２が縫い付けられており、主ファスナー７２と係合可能な従ファスナー７３…すなわち３本の始端支持具７３…が、お端折７の内面すなわち、左前下身頃２０ａと左後下身頃４０ａが縫着される左体側縫着部８ａの上身頃１０ａ側のお端折部７に取付けられている。
【００４３】
ファスナーは、務歯列を互いに対向させ、間に設けた楔体と両外側に配設した押さえ部とから成るスライダーを移動させて左右の務歯列を開閉する構造である。すなわち、主ファスナー７５と従ファスナー７３…は、片方の務歯列とスライダーＳとを有し、主ファスナー７２と従ファスナー７６…は、他方の務歯列のみを有しており、スライダーＳの操作で両務歯列が結合した際にファスナーが装着接続したことになる。
【００４４】
主ファスナー７２を従ファスナー７３…（主ファスナー７２側も複数個設けてもよい）に装着して互いに接続させることで、右前下身頃２０ｂ、右前下身頃２０ｂと縫着された右
衽３０ｂ、及び右前下身頃ｄ０ｂが縫着された右上身頃１０ｂにより着用者の前面を覆うように固定することができるので、お端折部７の始端７１が揺れ動いたりして着用時に着崩れするのを防ぐことができると共に、一人でも容易かつ迅速に着ることができる。
【００４５】
お端折部７の巻き終りすなわち終端部７４又は近傍の下身頃には主ファスナー７５すなわち終端装着具７５が縫い付けられており、主ファスナー７５を装着して支持可能な従ファスナー７６…すなわち終端支持具７６…が、お端折部７の全長位置に縫い付けられている。
着脱ファスナー７５を支持ファスナー７６…に装着し互いに係合させることで、左前下身頃２０ａ、左前下身頃２０ａと縫着された左衽３０ａ、及び左前下身頃２０ａが縫着された左上身頃１０ａにより着用者の前面を覆うように固定することができるので、着用時に着崩れするのを防ぐことができると共に、一人でも容易かつ迅速に着用することができる。
【００４６】
また、主ファスナー７２、７５と従ファスナー７３…、７６…は帯を着用した際に帯で覆われる高さに設けられるので、着物を着た際に外観を損なうことがなく、着崩れするのを防ぐことができる。従って、着物自体に主ファスナー７２、７５や従ファスナー７３…、７６…を取付ける場合も、ファスナーなどの着脱具や支持具が帯で隠れるようにする。
【００４７】
なお、着物を構成する上身頃対１、前後の下身頃対２、４、袖９、衿５などの各寸法は、本発明の実施例に限られるものではない。例えば、これらの各寸法を変えることで、背が高くて痩せた体型、背が低くて痩せた体型、手足が長い体型、大柄な体型などの様々な体型にそれぞれ適合するサイズで作成された着物を作製することができる。
【００４８】
特に、衿は着用者の年齢や場面に応じてその開き具合が求められるので、様々な衿付部１３の前衿付線１３１ａ、１３１ｂ及び後衿付線１３０ａ、１３０ｂの形状が考えられる。例えば、胸元の衿を詰めた形状になる、直線状に形成された前衿付線、あるいは胸元の衿が開いた形状になる湾曲線状に形成された前衿付線などである。また、後衿付線１３１ａ、１３１ｂも、肩山線１１ａ、１１ｂから後側上身頃１００ａ、１００ｂ側へ大きく切欠くことで、後衿部１３２を大きく開くことができる。
【００４９】
このように、本発明では、着物の着用時の従来の美しい形状を保ちながらも、着崩れしにくく、一人でも容易かつ迅速に着用することができると共に、着用者の身体の凹凸に沿って立体的に作製された着物を提供することができる。
【００５０】
［着物の製造方法］
本発明に係る着物の製造方法について、図１乃至図５を用いて説明する。
［１］裁断工程Ｓ１裁断工程Ｓ１では、生地体（図示せず）から、衿５、各左右一対の上身頃１０ａ、１０ｂ、前下身頃２０ａ、２０ｂ、後下身頃４０ａ、４０ｂ、衽３０ａ、３０ｂ、及び袖９を裁断する作業を行う。
【００５１】
［２］第１内縁部接続工程Ｓ２
第１内縁部接続工程Ｓ２では、左右の上身頃１０ａ、１０ｂの背縫い部１６の内側縁部１６０ａ、１６０ｂを縫着する作業を行う。左上身頃１０ａの後側上身頃１００ａの内側縁部１６０ａと、右上身頃１０ｂの後側上身頃１００ｂの内側縁部１６０ｂを縫着する。これにより、左右の上身頃１０ａ、１０ｂが体型に沿った立体的な形状となり、後側上身頃１００ａ、１００ｂの縁部領域１６１ａ、１６１ｂに皺が生じにくくなって、美しい形状を有する上身頃１が形成される。
【００５２】
［３］脇縫い工程Ｓ３
脇縫い工程Ｓ３では、前側上身頃１０１ａ、１０１ｂと後側上身頃１００ａ、１００ｂの外側縁部１５を縫着する作業を行う。右上身頃１０ｂの前側上身頃１０１ｂの前外側縁部１５０ｂのうち前端側領域１２ｂ寄りの一部と、後側上身頃１００ｂの後外側縁部１５１ｂのうち後端部領域１４ｂ寄りの一部とを縫着する。また、左上身頃１０ａの前側上身頃１０１ａの前外側縁部１５０ａのうち前端側領域１２ａ寄りの一部と、後側上身頃１００ａの後外側縁部１５１ａのうち後端部領域１４ａ寄りの一部とを縫着する。これにより、左右の上身頃１０ａ、１０ｂを縫着することで、上身頃対を筒状に形成することができると共に、下方を細くして上身頃１を着用者の胴回りに沿った、下窄まりの立体的な形状に形成することができる。なお、外側縁部１５のうち縫着していない部分によって、後述する袖９と連続する袖通し用孔１７ａ、１７ｂを形成することができる。
【００５３】
［４］衿関連部材取付け工程Ｓ４
衿関連部材取付け工程Ｓ４では、取付け領域６１に背力布６を縫着する作業と、上身頃１０ａ、１０ｂの後衿付線１３０ａ、１３０ｂ及び前衿付線１３１ａ、１３１ｂに衿５を縫着する作業を行う。衿関連部材取付け工程Ｓ４は、衿抜き部材取付け過程Ｓ４０、後衿付取付け過程Ｓ４１及び前衿取付け過程Ｓ４２より構成される。
【００５４】
［４−１］衿抜き部材取付け過程Ｓ４０
衿抜き部材取付け過程Ｓ４０では、衿抜き部材の一例である背力布６の被取付部６５を上身頃の取付部６０に取付け、背力布６の被係合部であるボタンホール６３を係合部であるボタン６４に係合させる作業を行う。被取付部６５を取付け領域６１に設けられた取付部６０に縫着し、ボタン６４をボタンホール６３に係合させることで、背力布６を取付け部６０とボタン６４の間に介設することができる。
【００５５】
背力布６は、取付部６０とボタン６４間の長さよりも短く形成され、かつボタン６４は図３に示すように、帯（図示せず）によって押圧される位置に取り付けられているので、背力布６の被取付部６５にボタン６４側への牽引力が生じる。このボタン６４側への牽引力は取付け領域６１に伝わることで、衿５が後方に傾倒するので、衿抜き作業をすることなく衿抜きがされた衿と同様の美しい形状の衿５を形成することができると共に、背力布６によって着物の形状が略一定保持されるので、着用時に衿の位置がずれるなどの着崩れが生じにくくなる。さらに、背力布６は、着物Ａの内側に取付けられるため着物Ａの外観を損なうことないので、美しい形状を有する着物が形成される。
【００５６】
なお、ボタン６４及びボタンホール６３の取付け作業は、必ずしも衿関連部材取付け工程Ｓ４において行うことに限られず、例えば、後述する本体仕上げ工程Ｓ９の後に行っても良い。
【００５７】
［４−２］後衿取付け過程Ｓ４１
後衿取付け過程Ｓ４１では、上身頃１０ａ、１０ｂの後衿付線１３０ａ、１３０ｂに沿って、衿５のうち後側上身頃１００ａ、１００ｂ側に取付けられる衿後部５０を縫着する。これにより、図３及び図４に示すように、肩山線より後ろ側の後側上身頃途中にかけて中心角略９０度の円弧状の後衿付線１３０ａ、１３０ｂに沿って縫着される衿後部５０は従来の後衿の位置よりも後方に傾倒するので、衿抜き作業を行うことなく、衿抜きがされた衿と同様の美しい形状の衿５を形成することができるので、一人でも容易かつ迅速に着用することができる。
【００５８】
［４−３］前衿取付け過程Ｓ４２
前衿取付け過程Ｓ４１では、上身頃１０ａ、１０ｂの前衿付線１３１ａ、１３１ｂに沿って、衿５のうち前側上身頃１０１ａ、１０１ｂ側に取付けられる衿前部５１を縫着する。これにより、前衿付線１３１ａ、１３１ｂに沿って縫着される衿前部５１は立体的に胸元
に沿った形状に取付けられるので、胸元を合わせる作業を省くことができ、一人でも容易に着用することができる。
【００５９】
［５］袖付け工程Ｓ５
袖付け工程Ｓ５では、上身頃１０ａ、１０ｂの外側縁部１５に袖９を縫着する作業を行う。袖９を二つに折り、袂９０が形成されるよう縁部を縫着する。袂９０が形成された側と反対側の縁部を、上身頃１０ａ、１０ｂの袖通し用孔１７ａ、１７ｂに取り付ける。これにより、着用者が袖通し用孔１７ａ、１７ｂから袖９に袖を通すことができる。
【００６０】
［６］第２内縁部接続工程Ｓ６
第２内縁部接続工程Ｓ６では、後下身頃４０ａ、４０ｂを縫着する作業を行う。左後下身頃４０ａの内側背縫い部４３ａと右後下身頃４０ｂの内側背縫い部４３ｂを縫着する。これにより、後下身頃４０ａ、４０ｂが一体に形成される。
【００６１】
［７］衽付け工程Ｓ７
衽付け工程Ｓ７では、前下身頃２０ａ、２０ｂに衽３０ａ、３０ｂを縫着する作業を行う。前下身頃２０ａ、２０ｂの衽取付け縁部２４ａ、２４ｂに衽３０ａ、３０ｂを取り付ける。これにより、前下身頃２０ａ、２０ｂと衽３０ａ、３０ｂが一体に形成される。
【００６２】
［８］足周り接続工程Ｓ８
足周り接続工程Ｓ８では、左前下身頃２０ａと左後下身頃４０ａ、及び右前下身頃２０ｂと右後下身頃４０ｂを縫着する作業を行う。左前下身頃２０ａの外側縁部と左後下身頃４０ａの外側縁部を縫着して左体側縫着部８ａを形成し、右前下身頃２０ｂの外側縁部と右後下身頃４０ｂの外側縁部を縫着して右体側縫着部８ｂを形成する。これにより、左前下身頃２０ａと左後下身頃４０ａ、及び右前下身頃２０ｂと右後下身頃４０ｂが一体に形成される。
【００６３】
［９］本体仕上げ工程Ｓ９
本体仕上げ工程では、上下身頃１、２、４を接続し、お端折７を形成し、お端折７の端部７１、７４が接続される接続部の取付を行う。
【００６４】
［９−１］上下身頃接続工程Ｓ９０
上下身頃接続工程Ｓ９０では、上身頃１０ａ、１０ｂと、前下身頃２０ａ、２０ｂ及び後下身頃４０ａ、４０ｂを縫着する作業を行う。上身頃１０ａ、１０ｂの前端側縁部１２０ａ、１２０ｂに、前下身頃２０ａ、２０ｂを縫着すると共に、上身頃１０ａ、１０ｂの後端側縁部１４０ａ、１４０ｂに、後下身頃４０ａ、４０ｂを縫着する。これにより、上身頃１０ａ、１０ｂと、前下身頃２０ａ、２０ｂ及び後下身頃４０ａ、４０ｂが一体に形成されると共に、前端側縁部１２０ａ、１２０ｂが内側に向かって肩山線１１ａ、１１ｂ側に傾斜していることから、図２（ｂ）に示すように、褄先２３が上方に持ち上がるので、全体として裾窄まりの形状を形成することができる。
【００６５】
［９−２］お端折形成工程Ｓ９１
お端折形成工程Ｓ９１では、お端折部７を形成して縫着する作業を行う。上身頃１と、前下身頃２０ａ、２０ｂの上端部２１ａ、２１ｂ及び後下身頃４０ａ、４０ｂの上端部４１ａ、４１ｂとが縫着された縫着部８０付近を折返して重ねてお端折部７を形成する。図４に示すように、このお端折部７の上部７０付近で重なっている上身頃１、前下身頃２０ａ、２０ｂ、及び後下身頃４０ａ、４０ｂを縫着することにより、お端折部７の形状は保持されるので、着用時にお端折部７を形成する作業をすることなく、一人でも容易かつ迅速に着用することができる。
【００６６】
［９−３］接続具取付け工程Ｓ９２では、お端折部７の巻始め端部７１や巻終り端部７４又はその近傍に接続具である主ファスナー７２や７５を設け、中間部位に従ファスナー７３…と７６…を縫い付けてある。お端折部７の始端７１近傍の下身頃２、４には主ファスナー７２が設けられ、及び主ファスナー７２と係合可能な従ファスナー７３…は、お端折部７の内面の一周位置７ｔ、すなわち左体側縫着部８ａの上身頃１０ａ側寄りに設けられている。主ファスナー７２と従ファスナー７３…を係合させることで、右前下身頃２０ｂ、右前下身頃２０ｂと縫着された右衽３０ｂ、及び右前下身頃２０ｂが縫着された右上身頃１０ｂにより着用者の前面を被覆するように固定することができるので、着用時に着崩れするのを防ぐことができると共に、一人でも容易かつ迅速に着用することができる。
【００６７】
お端折部７の巻終り端部７４近傍の下身頃２には、主ファスナー７５が取付けられ、主ファスナー７５と係合可能な従ファスナー７６…は、お端折部７の全長の位置の外面に設けられている。
主ファスナー７５と従ファスナー７６…中の一つを体形に応じて選んで装着係合させることで、左前身頃２０ａ、左前身頃２０ａと縫着された左衽３０ａ、及び左前身頃２０ａが縫着された左上身頃１０ａにより着用者の前面を被覆するように固定することができるので、着用時に着崩れるのを防ぐことができると共に、一人でも容易かつ迅速に着用することができる。
【００６８】
これにより、着用者の前面を覆う生地が主ファスナー７２、７５と３本構成の従ファスナー７３…、７６…との装着接続により固定されるので、着用時に着物の胸元が徐々に開いてしまうなどの着崩れを防ぎやすくなる。
【００６９】
なお、本実施例では、従ファスナー７３…、７６…を三本設けているので、所望の一つを選択することで、様々な胴回りのサイズに対応させることができる。前記主ファスナー７２、７５も三本のように、複数設けることで、合計９種類の装着接続ができ、より細かいサイズ選択が可能となる。主ファスナーと従ファスナーとの個数を逆にして、主ファスナー複数個、従ファスナーを１個のみとしてもよい。さらに、各サイズごとにファスナーの色を変えるようにしてもよく、この場合着用時に対応する主従のファスナーを容易に見つけることができて能率的である。
【００７０】
着脱具や支持具は、より具体的には、スライダーＳを要するファスナーの他にボタンやフック、ホック、或いは紐やリボンを縫い付けても足りる。すなわち、紐やリボンの一端を縫い付けておき、縫い付けずにフリーの状態にした他端同士を結んで装着接続する。
この着脱具や支持具は、着物自体に取付けてもよいが、着物を着る際にお端折部を形成する場合は、このお端折部の形成位置を想定して取付ける。お端折部を形成しない着方をする場合は、お端折部を形成する高さや帯の高さを想定して取付けることになる。
【００７１】
また、本発明に係る着物の上身頃１や下身頃２，４の寸法を適宜変えることで、様々な体型にそれぞれに対応した着物を製造することができる。
【００７２】
さらに、本実施例では上身頃と下身頃を縫着した縫着部８０にお端折を形成しているが、図４（ｃ）に示すように、下身頃にお端折部７を形成した後に、該下身頃２、４を上身頃１の下端に縫着するようにしてもよい。
【００７３】
この場合は、下身頃２、４のお端折部７は折畳んで、上身頃１に縫着することによりお端折部７と上下身頃１、２、４を一体的に逢着することができる。このため、縫着回数は一回で済み、作業負担が軽減される。
【００７４】
［着用方法］
本発明の着物に係る着用方法について、図６を用いて説明する。
［１］第１工程（Ｓ２１）第１工程Ｓ２１では、本発明に係る着物をはおる作業を行う。第１工程は、衿刳り構造があらかじめ形成された着物の着用工程Ｓ２１ａ及び立体構造があらかじめ形成された着物の着用工程Ｓ２１ｂより構成される。
【００７５】
［１−１］着物の着用工程（Ｓ２１ａ）
着物の着用工程Ｓ２１ａでは、被取付部６５が、取付け領域６１内の所定の取付部６０に取付けられ、被係合部であるボタンホール６３が、係合部であるボタン６４に取付けられた着物を着用することで、衿後部５０は後方に傾倒するので、衿抜き作業を行うことなく、衿抜きがされた衿と同様の美しい形状の衿５を有する着物を、一人でも容易かつ迅速に着用することができる。
【００７６】
［１−２］着物の着用工程（Ｓ２１ｂ）
着物の着用工程Ｓ２１ｂでは、上身頃対１、前下見頃対２及び後下見頃対４の部材に分割することによって、着用者の身体の凹凸に沿って立体的に形成することができると共に、上身頃１と下身頃２、４間を折畳んでお端折部７を形成することによって、お端折部７作成のための作業負担が軽減される。これにより、着物全体の形状等の微調整を行うことなく、容易かつ迅速に着用することができる。
【００７７】
［２］第２工程（Ｓ２２）
第２工程（Ｓ２２）では、上身頃対１に取付けた袖９に腕を通した後、お端折部７の一端を巻いて、所定位置で固定する作業を行う。右前下身頃２０ｂ及び右上身頃１０ｂを固定することができるので、胸元が開くなどの着崩れを防ぐことができる。
【００７８】
［２］第３工程（Ｓ２３）
第３工程（Ｓ２３）では、お端折の他端を巻いて、お端折部の中間に固定する作業を行う。着用者は左前下身頃２０ａを巻いて主ファスナー７２、７５と従ファスナー７３…、７６…を装着係合させて固定することにより、右前下身頃２０ｂ及び右上身頃１０ｂを固定することができるので、胸元が開くなどの着崩れを防ぐことができる。
【００７９】
このように、本発明の実施の形態に係る着物を着用することで、従来行っていた裾の位置決め、お端折の形成、衿元の位置決めや衿抜きの作業を行うことなく、容易に着用することができる。即ち、例えば、着物の着用に不慣れな外国の旅行者であっても簡便に着用することができるので、着物を手軽に着用して写真撮影などを行いたい場合などに適した着用方法である。
【産業上の利用可能性】
【００８０】
以上のように、本発明では、ハーフファスナーなどの着脱具や支持具は帯で隠れるので、着物自体やお端折部にハーフファスナー等を取付けた着物であっても、お端折部の始端部及び終端部に１以上の装着具を取付け、前記の始端部及び終端部の装着具が装着係合して接続する１以上の支持具をお端折部の長さの一周位置や全長位置に取付け、前記の装着具や支持具を着物自体に取付ける場合は、帯で隠れる高さに設けてあるので、本発明の着物の着用時は、体形の如何に係わらず、従来の美しい形態を保ちながらも、着崩れしにくく、一人でも容易かつ迅速に着用できる。
【符号の説明】
【００８１】
１    上身頃対
２    前下身頃対
３    衽対
４    後下身頃対
５    衿
６    背力布（衿抜き部材）
７    お端折部
９    袖
１０ａ、１０ｂ    左右の上身頃
１１ａ、１１ｂ    肩山線
１２ａ、１２ｂ    前端側領域
１３  衿付部（衿刳り）
１４ａ、１４ｂ    後端側領域
１５  外側縁部
１６  背縫い部（傾斜内縁部）
２０ａ、２０ｂ    前下身頃
２１ａ、２１ｂ    上端部（上身頃側領域）
２４ａ、２４ｂ    衽取付け縁部
３０ａ、３０ｂ    衽
４０ａ、４０ｂ    後下身頃
４１ａ、４１ｂ    上端部（上身頃側領域）
４３ａ、４３ｂ    内側背縫い部（内側縁部）
５０  衿後部
５１  衿前部
６０  取付部
６１  取付け領域
６３  ボタンホール
６４  ボタン
７１  お端折部の長手方向始端部
７２  主ファスナー
７３…  従ファスナー
７４  お端折部の長手方向終端部
７５  主ファスナー
７６…  従ファスナー
１００ａ、１００ｂ    後側上身頃
１０１ａ、１０１ｂ    前側上身頃
１２０ａ、１２０ｂ    前端側縁部（傾斜前縁部）
１３０ａ、１３０ｂ    後衿付線
１３１ａ、１３１ｂ    前衿付線
１３２  後衿部
１３３  前衿部
１４０ａ、１４０ｂ    後端側縁部
１５０ａ、１５０ｂ    前外側縁部
１５１ａ、１５１ｂ    後外側縁部
１６０ａ、１６０ｂ    内側縁部
１６１ａ、１６１ｂ    縁部領域
【手続補正書】
【提出日】平成30年4月4日(2018.4.4)
【手続補正１】
【補正対象書類名】特許請求の範囲
【補正対象項目名】全文
【補正方法】変更
【補正の内容】
【特許請求の範囲】
【請求項１】
着物に予め取付けたお端折部の始端外面に始端ハーフファスナーを取付けてあり、この始端ハーフファスナーを装着して支持する始端支持ハーフファスナーを前記お端折部の内面の１周位置に取付けてあり、
また前記お端折部の終端内面に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、しかも前記終端支持ハーフファスナーに対し前記始端支持ハーフファスナーの位置が高く配置されていて、お端折部始端が水平状態から上昇して前記始端支持ハーフファスナーと同じ高さとなる位置で前記始端ハーフファスナーを前記お端折部始端外面に取付けてある構成を特徴とする着物。
【請求項２】
着物に予め取付けたお端折部の始端外面に始端ハーフファスナーを取付けてあり、この始端ハーフファスナーを装着して支持する始端支持ハーフファスナーをお端折部の内面の１周位置に取付けてあり、
また前記お端折部の終端部に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、しかも前記終端支持ハーフファスナーに対し前記始端支持ハーフファスナーの位置が高く配置されていて、お端折部始端が水平状態から上昇して前記始端支持ハーフファスナーと同じ高さとなる位置で前記始端ハーフファスナーを前記お端折部始端外面に取付けてある着物を着る際に、
太った体形の人が着る場合は、前記の始端支持ハーフファスナー及び前記の終端支持ハーフファスナーのお端折部着用長さが長くなるように前記の始端支持ハーフファスナー及び前記の終端支持ハーフファスナーを選択して支持し、
痩身者が着る場合は、前記のお端折部着用長さが短くなるように前記の始端支持ハーフファスナー及び前記の終端支持ハーフファスナーを選択して支持することを特徴とする着物の着付け方法。
【請求項３】
衿部分の真後ろに縦帯状の背力布の上端が接続されており、前記背力布の下端又は下端近傍を前記衿部分が形成された着物の後身頃の内面に着脱する構成となっており、前記背力布を下方に引いて衿抜きした状態で、前記後身頃の内面に装着固定する構造を特徴とする請求項１に記載の着物。
【手続補正２】
【補正対象書類名】明細書
【補正対象項目名】全文
【補正方法】変更
【補正の内容】
【発明の詳細な説明】
【技術分野】
【０００１】
本発明は、着物及び着物の着付け方法に関する。詳しくは、一人でも各種サイズに対応して容易かつ迅速に着崩れしにくい着付けができる技術を実現する。
【背景技術】
【０００２】
着物は、様々な体型の人が着用することができるようゆとりをもって作られているので、着用時に個々の体型に合わせて微調整する作業が必要である。具体的には、「衿抜き」と言われる、衿の後ろ部分の空き具合、裾にかけてすぼまった形状、お端折の形成、背中部分の後身頃に皺ができないように生地を身体に添わせるなどである。これらの作業は、着用時の美しい形状を形成するため、必要な作業とされている。このため、着物を一人で着用できるようになるにはある程度の時間が必要となり、たとえ一人で着用できるようになっても、着用していると徐々に着崩れてしまうことから、着物を着用することにわずらわしさを感じ、いわゆる「着物離れ」が生じてしまっている。そして、この結果として着物を一人で着付けすることができない人が増えている。
特に、体形的に太った人が居れば、痩せた体形も有る。また、衿の後ろ部分を後方に倒す「えり抜き」と言われる作業は、鏡を見ながら片手を背中側に回して行う作業となるため、難しいとされる。
【０００３】
このようなことから、特許文献１に示すように、身頃の脇線の一部を裾にかけて裾窄まりに形成されるよう予め身頃の裾付近を斜めに裁った着物が考案されている。これにより、着物の美しい形状の一つである裾窄まりの形状が自然と形成される。また、特許文献２に示すように、上衣と下衣に分かれた、上下二部式の着物も考案されている。これにより、お端折を容易に形成することが出来、また後身頃にダーツを設けて予め体型に沿った形状に形成しているので、微調整する必要がなく容易に着用することができる。
【先行技術文献】
【特許文献】
【０００４】
【特許文献１】特開２００７−７７５５３号公報
【特許文献２】特開２００７−１６３７２号公報
【発明の概要】
【発明が解決しようとする課題】
【０００５】
しかしながら、特許文献１に記載された着物では、着物の柄のデザイン性が大きく損なわれることが考えられる。着物の柄は、従来の裁断方法で裁断されることを前提として、反物の幅に合ったデザインが施されており、このような柄を無視して裁断すると、隣接する身頃の柄に違和感が生じてしまうだけでなく、従来通りの衿抜きの作業を行わなければならない点については解消されていない。このため、着物の美しい形状が損なわれてしまうことが考えられる。
【０００６】
また、特許文献２に記載された着物では、上衣の裾を両面テープで折畳むことでお端折を形成しているため、着崩れし易いだけでなく、後身頃にダーツを設けたことで後身頃に生地の皺が生じやすくなり、着物の美しい形状が形成され難い。
【０００７】
本発明の技術的課題は、このような問題に着目し、体形と関係無く着物の着付け時に美しい形状を形成し、着崩れしにくく、しかも一人でも容易かつ迅速に着付けることができる技術を実現することにある。
【課題を解決するための手段】
【０００８】
本発明の技術的課題は次のような手段によって解決される。請求項１は、着物に予め取付けたお端折部の始端外面に始端ハーフファスナーを取付けてあり、この始端ハーフファスナーを装着して支持する始端支持ハーフファスナーを前記お端折部の内面の１周位置に取付けてあり、
また前記お端折部の終端内面に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、しかも前記終端支持ハーフファスナーに対し前記始端支持ハーフファスナーの位置が高く配置されていて、お端折部始端が水平状態から上昇して前記始端支持ハーフファスナーと同じ高さとなる位置で前記始端ハーフファスナーを前記お端折部始端外面に取付けてある構成を特徴とする着物である。
前記の始端ハーフファスナーと始端支持ハーフファスナーとは、ハーフファスナーを始端支持ハーフファスナーに装着すると互いに嵌合支持されて固定され、お端折部の始端が揺れたり移動できなくなる。終端の場合も同様である。また、始端ハーフファスナーが始端支持ハーフファスナーから離脱すると離れて互いに自由となる仕組みである。
【０００９】
請求項２は、着物に予め取付けたお端折部の始端外面に始端ハーフファスナーを取付けてあり、この始端ハーフファスナーを装着して支持する始端支持ハーフファスナーをお端折部の内面の１周位置に取付けてあり、
また前記お端折部の終端部に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、しかも前記終端支持ハーフファスナーに対し前記始端支持ハーフファスナーの位置が高く配置されていて、お端折部始端が水平状態から上昇して前記始端支持ハーフファスナーと同じ高さとなる位置で前記始端ハーフファスナーを前記お端折部始端外面に取付けてある着物を着る際に、
太った体形の人が着る場合は、前記の始端支持ハーフファスナー及び前記の終端支持ハーフファスナーのお端折部着用長さが長くなるように前記の始端支持ハーフファスナー及び前記の終端支持ハーフファスナーを選択して支持し、
痩身者が着る場合は、前記のお端折部着用長さが短くなるように前記の始端支持ハーフファスナー及び前記の終端支持ハーフファスナーを選択して支持することを特徴とする着物の着付け方法である。
【００１０】
請求項３は、衿部分の真後ろに縦帯状の背力布の上端が接続されており、前記背力布の下端又は下端近傍を前記衿部分が形成された着物の後身頃の内面に着脱する構成となっており、前記背力布を下方に引いて衿抜きした状態で、前記後身頃の内面に装着固定する構造を特徴とする請求項１に記載の着物である。
着脱手段として、実施例ではボタンをボタンホールに嵌入して装着する例を図示したが、ボタンに代えてフックを用いても良い。
【発明の効果】
【００１１】
請求項１のように、始端ハーフファスナーを装着して支持する複数の始端支持ハーフファスナーを前記お端折部の内面の１周位置に取付けてある。ただし、後で詳述するように高めに配置してある。また、前記お端折部の終端内面に１以上の終端ハーフファスナーを取付けて、この終端ハーフファスナーを装着して支持する複数の終端支持ハーフファスナーを前記お端折部の外面のお端折部全長位置に取付けてあるので、着用者の腹囲寸法の差異に対応して、複数のハーフファスナーの一つを選んで使用することで、どのような体形にも対応できる。
さらに、前記の始端側及び終端側のハーフファスナーは、始端側及び終端側とその支持側との片方を２以上とし、他方を１以上とすると共に、各ハーフファスナーは図のように上下に長い。しかも、前記終端支持ハーフファスナーに対し前記始端支持ハーフファスナーの位置が高く配置されていて、お端折部始端が水平状態から上昇して前記始端支持ハーフファスナーと同じ高さとなる位置で前記始端ハーフファスナーを前記お端折部始端外面に取付けてある。このように図２（ａ）の始端支持ハーフファスナー７３が終端支持ハーフファスナー７６より高く配置されているので、装着支持する際に始端７１と共に着物も上昇することになる。
【００１２】
請求項２のように、前記の着物を着る際に、太った体形の人が着る場合は、お端折部着用長さが長くなるように前記の始端支持ハーフファスナー及び前記の終端支持ハーフファスナーを選択して装着し支持する。
また、痩身者が着る場合は、前記のお端折部着用長さがが短くなるように、前記の始端支持ハーフファスナー及び前記の終端支持ハーフファスナーを選択し、複数から一つを選んで使用することで、どのような体形にも対応できる。
【００１３】
請求項３のように、背力布を下方に引いて衿抜きした状態で、前記後身頃の内面に装着固定するが、図３の実施例では、ボタンをボタンホールに係合させることで背力布をボタン側に牽引して衿抜き可能とした。このように、背力布の下端を下に引いて装着するだけで衿抜きでき、一人でも容易かつ迅速に衿抜きができる。
【図面の簡単な説明】
【００１４】
【図１】本実施例の着物を構成する上身頃対、前下身頃対及び後下身頃対の形状を表した展開図である。
【図２】本実施例の着物のサイズ調節構成を示す正面図である。
【図３】本実施例の着物の後衿部の構成を示す斜視図である。
【図４】本実施例の着物の背力布を示す断面図である。
【図５】本実施例の着物の製造方法を示す工程図である。
【図６】本実施例の着物の着用方法の工程図である。
【発明を実施するための形態】
【００１５】
次に本発明による着物の構成及び着物の着付け方法について、図１乃至図６を参照しながら説明し、本発明の理解に供する。なお、本明細書では、「左」「右」とは、それぞれ順に、着用者にとっての左手側を、着用者にとっての右手側を示す。また、「前」「後」、それぞれ順に、着用者にとっての前方を、着用者にとっての後方を示す。そして、「上」「下」とは、それぞれ順に、着用者にとって足部から頭部に向けての方向を、着用者にとって頭部から足部に向けての方向を示す。さらに、「内側」「外側」とは、それぞれ順に着用者の身体の中心に近い側を、着用者の身体の中心から遠い側を示す。なお、図１において縫い代は省略している。
【００１６】
本発明に係る着物について、図１乃至図４を用いて説明する。まず、図１乃至図３に示すように、本実施の形態の着物は、上身頃対１、前下身頃対２、衽対３、後下身頃対４、衿５、衿抜き部材の一例である背力布６、袖９の構成部材から成る。
【００１７】
上身頃対１は左上身頃１０ａ及び右上身頃１０ｂから成り、それぞれ長手方向の略中央に肩山線１１ａ、１１ｂを有する。肩山線１１ａ、１１ｂを含む領域の生地は、本実施の形態の着物を着用した際、着用者の肩の最上部付近に位置する。
【００１８】
左右の上身頃１０ａ、１０ｂのうち、肩山線１１ａ、１１ｂを境にして、着用時に着用者の前側に位置する部分を前側上身頃１０１ａ、１０１ｂとし、後側に位置する部分を後側上身頃１００ａ、１００ｂとする。左右の上身頃１０ａ、１０ｂは、図１においては略左右反転した形状を有し、上身頃１０ａ、１０ｂとも他方の上身頃と対向する縁部は、後側上身頃１００ａ、１００ｂから前側上身頃１０１ａ、１０１ｂにかけて切欠かれている。
【００１９】
具体的には、後側上身頃１００ａ、１００ｂは中心角略９０度の円弧状に切欠かれて、後衿付線１３０ａ、１３０ｂが形成される。この後衿付線１３０ａ、１３０ｂに連続するようにして、前側上身頃１０１ａ、１０１ｂの肩山線１１ａ、１１ｂから前端側領域１２ａ、１２ｂにかけて斜めに切欠かれた前衿付線１３１ａ、１３１ｂが形成される。
そして、このような後衿付線１３０ａ、１３０ｂを有する後衿部１３２と、前衿付線１３１ａ、１３１ｂを有する前衿部１３３とを併せて、衿刳りの一例である衿付部１３が形成される。
【００２０】
この後衿付線１３０ａ、１３０ｂに沿って衿５の衿後部５０を取付けることで、衿５が後方に傾倒し、自然と衿抜きがされた衿と同様の美しい形状の衿５を形成することができると共に、衿抜きの作業をすることなく、一人でも容易かつ迅速に着用することができる。
【００２１】
また、前衿付線１３１ａ、１３１ｂに沿って衿５の衿前部５１を取付けることで、胸元の衿が自然と合わさった、美しい形状の衿５を形成することができると共に、胸元を合わせる作業をすることなく、一人でも容易かつ迅速に着用することができる。
【００２２】
また、傾斜内縁部の一例である、上身頃１０ａ、１０ｂの背縫い部１６は、後側上身頃１００ａ、１００ｂの内側の縁部であって、後衿付線１３０ａ、１３０ｂの部分を除いた縁部である内側縁部１６０ａ、１６０ｂと、その近傍であって、背中部分や脇部分に位置する縁部領域１６１ａ、１６１ｂとから成る。内側縁部１６０ａ、１６０ｂは、肩山線１１ａ、１１ｂから後端側領域１４ａ、１４ｂに向けて離間するにしたがって、外側に傾斜して形成されている。
【００２３】
この内側縁部１６０ａ、１６０ｂを縫着することで、上身頃を略筒状に形成することができると共に、下方を細くして上身頃１を着用者の胴回りに沿った、下窄まりの立体的な形状に形成することができると共に、着用時の背中部分や脇部分である縁部領域１６１ａ、１６１ｂに、生地の皺が生じるのを防ぐことができる。
【００２４】
なお、胴回りが太い着用者の場合には、内側縁部１６０ａ、１６０ｂの傾斜角度を変えるなどして徐々に垂直方向に近づけることで対応することができる。
【００２５】
また、上身頃１０ａ、１０ｂの外側縁部１５は、前外側縁部１５０ａ、１５０ｂ及び後外側縁部１５１ａ、１５１ｂから成る。前外側縁部１５０ａ、１５０ｂは肩山線１１ａ、１１ｂから前端側領域１２ａ、１２ｂにかけて内側に傾斜している。後外側縁部１５１ａ、１５１ｂは、肩山線１１ａ、１１ｂから後端側領域１４ａ、１４ｂにかけて内側に傾斜している。
【００２６】
前外側縁部１５０ａ、１５０ｂの一部と、後外側縁部１５１ａ、１５１ｂの一部を縫着することで、上身頃を略筒状に形成することができると共に、下方を細くして上身頃１を着用者の胴回りに沿った、下窄まりの立体的な形状に形成することができる。
【００２７】
背力布６は帯状の形状を有し、伸縮性のない素材で形成されている。また、背力布６の一端であり、被取付部６５は、着物Ａの内側で後衿付線１３０ａ、１３０ｂと内側縁部１６０ａ、１６０ｂとが交わる交点又はその周辺の取付け領域６１内の所定の取付部６０に取付けられる。また、背力布６の他端である被係合部であるボタンホール６３は、後下見頃対４の内面の所定の係合部であるボタン６４に取付けられる。
【００２８】
後身頃の一部に取付けられた係合部の一例であるボタン６４をボタンホール６３に係合することで背力布６にボタン６４側の牽引力を持たせることができる。
【００２９】
背力布６は、取付部６０とボタン６４間の長さよりも短く形成され、かつボタン６４は帯（図示せず）によって押圧される位置に取り付けられているので、背力布６の被取付部６５にボタン６４側への牽引力が生じる。このボタン６４側への牽引力が取付け領域６１に加えられることで、衿５が後方に傾倒するので、衿抜き作業をすることなく衿抜きがされた衿と同様の美しい形状の衿５を形成することができる。また、背力布６によって着物の形状が略一定に保持されるので、着用時に衿の位置がずれるなどの着崩れが生じにくくなる。さらに、背力布６は、着物Ａの内側に取付けられるため着物Ａの外観を損なうことがないので、美しい形状を有する着物が形成される。
【００３０】
また、背力布６により取付け領域６１にボタン６４側への牽引力が加えられた際には、図４（ａ）（ｂ）に示すように、縁部領域１６１ａ、１６１ｂの余分な布地はボタン６４側に引っ張られてお端折部７の内側に折畳まれて収容される。このため、生地がお端折部７の表面に露出することを防ぐことができる。
【００３１】
なお、ボタンホール６３が設けられる位置は、背力布６の端部に限られるものではなく、背力布６の途中部に設けることができ、また複数個所設けることもできる。この場合、取
付け領域６１とボタン６４の取付け位置までの長さを容易に変更することができるので、着用者の体型に適した長さにすることができる。そして、ボタンホール６３の位置に応じて取付け領域６１に加えられる牽引力の大きさが変化するので、ボタンホール６３の位置を選択して衿５の傾倒する角度を調整することができる。また、本実施例では、背力布６の幅は約７センチに形成されているが、これに限られるものではない。例えば、背力布の幅を７センチよりも細くすると、衿後部の形状をやや幅狭な形状にすることができ、７センチよりも太くすると、衿後部は丸みを帯びた形状に形成される。なお、背力布６は伸縮性のない素材に限定されるものではなく、ゴムなどの弾性材を用いても良い。
【００３２】
衽対３は、帯状の左右の衽３０ａ、３０ｂから成り、その幅方向の一端は前下身頃２０ａ、２０ｂの幅方向の内側の端部に縫着される。
【００３３】
前下身頃対２は、帯状の左右の前下身頃２０ａ、２０ｂから成り、上身頃側領域の一例である上端部２１ａ、２１ｂは上身頃１０ａ、１０ｂの前端側領域１２ａ、１２ｂに縫着される。本実施例においては、前下身頃２０ａ、２０ｂの幅は、前端側領域１２ａ、１２ｂの幅と略同一に形成されている。なお、前下身頃２０ａ、２０ｂの幅は、前端側領域１２ａ、１２ｂの幅と略同一の長さに形成されることに限られず、着用者のサイズに合わせて、適宜変更することができる。
【００３４】
ここで、前端側領域１２ａ、１２ｂの傾斜前縁部の一例である前端側縁部１２０ａ、１２０ｂは、外側から内側に向けて肩山線１１ａ、１１ｂ側に傾斜している。このため、前端側縁部１２０ａ、１２０ｂに前下身頃２０ａ、２０ｂ及び衽３０ａ、３０ｂを縫着すると、前下身頃２０ａ、２０ｂの下端部２２ａ、２２ｂ、及び衽３０ａ、３０ｂの下端部３１ａ、３１ｂは、外側から内側に向けて傾斜した形状となる。その結果、図２（ｂ）に示すように、衽３０ａの下端部３１ａの褄先２３が持ち上がった、いわゆる裾窄まりの形状が自然と形成される。
【００３５】
なお、右前下身頃２０ｂと右衽３０ｂを別個に裁断せず、一体の生地として裁断しても良い。右衽は着用時に、左衽及び左前下身頃に覆われて露出しないので、右前下身頃と右衽を一体に裁断することで縫着する手間を省くことが出来るからである。
【００３６】
後下身頃対４は、帯状の左右の後下身頃４０ａ、４０ｂから成り、上身頃側領域の一例である上端部４１ａ、４１ｂは上身頃１０ａ、１０ｂの後端側領域１４ａ、１４ｂに縫着される。後下身頃４０ａ、４０ｂの幅は、後端側領域１４ａ、１４ｂの後端側縁部１４０ａ、１４０ｂ幅と略同一に形成されている。なお、後下身頃４０ａ、４０ｂの幅は、後端側領域１４ａ、１４ｂの幅と略同一の長さに形成されることに限られず、着用者のサイズに合わせて、適宜変更することができる。
【００３７】
ここで、後端側縁部１４０ａ、１４０ｂは、肩山線１１ａ、１１ｂと略平行に配置されている。このため、後端側縁部１４０ａ、１４０ｂに後下身頃４０ａ、４０ｂを縫着すると、後下身頃４０ａ、４０ｂの下端部４２ａ、４２ｂは、略水平に配置される。
【００３８】
図４（ｂ）に示すように、上身頃１と前下身頃２０ａ、２０ｂの上端部２１ａ、２１ｂ及び後下身頃４０ａ、４０ｂの上端部４１ａ、４１ｂとが縫着された縫着部８０付近を折返して重ねた重なり部にお端折部７が形成される。このお端折部７の上部７０付近で重なっている上身頃１、前下身頃２０ａ、２０ｂ、及び後下身頃４０ａ、４０ｂにお端折部７を縫着することにより、お端折部７の形状は保持されるので、着用時にお端折部７を形成する作業をすることなく、一人でも容易かつ迅速に着用することができる。
【００３９】
着物を着る場合、通常、身体に着物を時計廻りに巻きつけるように右袖の有る右端から先
に身体に巻くように着るので、図２のように、左前の着方になる。上方から見た場合、「の」の字の筆順の順序で右廻りに着る。逆に、下方から見て、「の」の字を左右反転した順序で左廻りに着ることも可能であり、この場合は、右前の着方になる。図示着物には、お端折部７の上端縁を予め着物に縫い付け支持してある。図示のお端折部７は、帯のように上端縁と下端縁間の幅で長く形成されている。「長く」と言っても、着用者の胴の外面に巻いた場合の約一周半程度の長さ、すなわち着物を着た場合の着物の胴廻り寸法とする。
【００４０】
図２（ａ）は、着物のサイズ調節構成の実施例を示す正面図である。お端折部７の巻始めすなわち始端７１の近傍内側にある下身頃の部分には、主ファスナー７２のような始端着脱具７２が縫い付けられており、主ファスナー７２と係合可能な従ファスナー７３…すなわち３本の始端支持具７３…が、お端折７の内面の、お端折部の１周位置すなわち、左前下身頃２０ａと左後下身頃４０ａが縫着される左体側縫着部８ａの上身頃１０ａ側のお端折部７に取付けられている。図２（ａ）に実線で示すお端折部７は、始端７１の主ファスナー７２が３本の従ファスナー７３…と同じ高さに位置していて、装着する直前の状態を示している。一方、前記主ファスナー７２を前記従ファスナー７３…に装着支持する前段階では、破線で示すようにお端折部の他の部分と同様に水平の状態で胴体に巻き付けられる。従って、着物Ａのお端折部始端７１に縫い付けた部分も、ファスナー同士の装着操作によって上昇することになる。
【００４１】
ファスナーは、務歯列を互いに対向させ、間に設けた楔体と両外側に配設した押さえ部とから成るスライダーを移動させて左右の務歯列を開閉する構造である。すなわち、主ファスナー７５と従ファスナー７３…は、片方の務歯列とスライダーＳとを有し、主ファスナー７２と従ファスナー７６…は、他方の務歯列のみを有しており、スライダーＳの操作で両務歯列が結合した際にファスナーが装着接続したことになる。
【００４２】
主ファスナー７２を従ファスナー７３…（主ファスナー７２側も複数個設けてもよい）に装着して互いに接続させることで、右前下身頃２０ｂ、右前下身頃２０ｂと縫着された右衽３０ｂ、及び右前下身頃ｄ０ｂが縫着された右上身頃１０ｂにより着用者の前面を覆うように固定することができるので、お端折部７の始端７１が揺れ動いたりして着用時に着崩れするのを防ぐことができると共に、一人でも容易かつ迅速に着ることができる。
【００４３】
お端折部７の巻き終りすなわち終端部７４又は近傍の下身頃には主ファスナー７５すなわち終端装着具７５が縫い付けられており、主ファスナー７５を装着して支持可能な従ファスナー７６…すなわち終端支持具７６…が、お端折部７の全長位置に縫い付けられている。
着脱ファスナー７５を支持ファスナー７６…に装着し互いに係合させることで、左前下身頃２０ａ、左前下身頃２０ａと縫着された左衽３０ａ、及び左前下身頃２０ａが縫着された左上身頃１０ａにより着用者の前面を覆うように固定することができるので、着用時に着崩れするのを防ぐことができると共に、一人でも容易かつ迅速に着用することができる。
【００４４】
また、主ファスナー７２、７５と従ファスナー７３…、７６…は帯を着用した際に帯で覆われる高さに設けられるので、着物を着た際に外観を損なうことがなく、着崩れするのを防ぐことができる。従って、着物自体に主ファスナー７２、７５や従ファスナー７３…、７６…を取付ける場合も、ファスナーなどの着脱具や支持具が帯で隠れるようにする。
【００４５】
なお、着物を構成する上身頃対１、前後の下身頃対２、４、袖９、衿５などの各寸法は、本発明の実施例に限られるものではない。例えば、これらの各寸法を変えることで、背が高くて痩せた体型、背が低くて痩せた体型、手足が長い体型、大柄な体型などの様々な体型にそれぞれ適合するサイズで作成された着物を作製することができる。
【００４６】
特に、衿は着用者の年齢や場面に応じてその開き具合が求められるので、様々な衿付部１３の前衿付線１３１ａ、１３１ｂ及び後衿付線１３０ａ、１３０ｂの形状が考えられる。例えば、胸元の衿を詰めた形状になる、直線状に形成された前衿付線、あるいは胸元の衿が開いた形状になる湾曲線状に形成された前衿付線などである。また、後衿付線１３１ａ
、１３１ｂも、肩山線１１ａ、１１ｂから後側上身頃１００ａ、１００ｂ側へ大きく切欠くことで、後衿部１３２を大きく開くことができる。
【００４７】
このように、本発明では、着物の着用時の従来の美しい形状を保ちながらも、着崩れしにくく、一人でも容易かつ迅速に着用することができると共に、着用者の身体の凹凸に沿って立体的に作製された着物を提供することができる。
【００４８】
［着物の製造方法］
本発明に係る着物の製造方法について、図１乃至図５を用いて説明する。
［１］裁断工程Ｓ１裁断工程Ｓ１では、生地体（図示せず）から、衿５、各左右一対の上身頃１０ａ、１０ｂ、前下身頃２０ａ、２０ｂ、後下身頃４０ａ、４０ｂ、衽３０ａ、３０ｂ、及び袖９を裁断する作業を行う。
【００４９】
［２］第１内縁部接続工程Ｓ２
第１内縁部接続工程Ｓ２では、左右の上身頃１０ａ、１０ｂの背縫い部１６の内側縁部１６０ａ、１６０ｂを縫着する作業を行う。左上身頃１０ａの後側上身頃１００ａの内側縁部１６０ａと、右上身頃１０ｂの後側上身頃１００ｂの内側縁部１６０ｂを縫着する。これにより、左右の上身頃１０ａ、１０ｂが体型に沿った立体的な形状となり、後側上身頃１００ａ、１００ｂの縁部領域１６１ａ、１６１ｂに皺が生じにくくなって、美しい形状を有する上身頃１が形成される。
【００５０】
［３］脇縫い工程Ｓ３
脇縫い工程Ｓ３では、前側上身頃１０１ａ、１０１ｂと後側上身頃１００ａ、１００ｂの外側縁部１５を縫着する作業を行う。右上身頃１０ｂの前側上身頃１０１ｂの前外側縁部１５０ｂのうち前端側領域１２ｂ寄りの一部と、後側上身頃１００ｂの後外側縁部１５１ｂのうち後端部領域１４ｂ寄りの一部とを縫着する。また、左上身頃１０ａの前側上身頃１０１ａの前外側縁部１５０ａのうち前端側領域１２ａ寄りの一部と、後側上身頃１００ａの後外側縁部１５１ａのうち後端部領域１４ａ寄りの一部とを縫着する。これにより、左右の上身頃１０ａ、１０ｂを縫着することで、上身頃対を筒状に形成することができると共に、下方を細くして上身頃１を着用者の胴回りに沿った、下窄まりの立体的な形状に形成することができる。なお、外側縁部１５のうち縫着していない部分によって、後述する袖９と連続する袖通し用孔１７ａ、１７ｂを形成することができる。
【００５１】
［４］衿関連部材取付け工程Ｓ４
衿関連部材取付け工程Ｓ４では、取付け領域６１に背力布６を縫着する作業と、上身頃１０ａ、１０ｂの後衿付線１３０ａ、１３０ｂ及び前衿付線１３１ａ、１３１ｂに衿５を縫着する作業を行う。衿関連部材取付け工程Ｓ４は、衿抜き部材取付け過程Ｓ４０、後衿付取付け過程Ｓ４１及び前衿取付け過程Ｓ４２より構成される。
【００５２】
［４−１］衿抜き部材取付け過程Ｓ４０
衿抜き部材取付け過程Ｓ４０では、衿抜き部材の一例である背力布６の被取付部６５を上身頃の取付部６０に取付け、背力布６の被係合部であるボタンホール６３を係合部であるボタン６４に係合させる作業を行う。被取付部６５を取付け領域６１に設けられた取付部６０に縫着し、ボタン６４をボタンホール６３に係合させることで、背力布６を取付け部６０とボタン６４の間に介設することができる。
【００５３】
背力布６は、取付部６０とボタン６４間の長さよりも短く形成され、かつボタン６４は図３に示すように、帯（図示せず）によって押圧される位置に取り付けられているので、背力布６の被取付部６５にボタン６４側への牽引力が生じる。このボタン６４側への牽引力は取付け領域６１に伝わることで、衿５が後方に傾倒するので、衿抜き作業をすることな
く衿抜きがされた衿と同様の美しい形状の衿５を形成することができると共に、背力布６によって着物の形状が略一定保持されるので、着用時に衿の位置がずれるなどの着崩れが生じにくくなる。さらに、背力布６は、着物Ａの内側に取付けられるため着物Ａの外観を損なうことないので、美しい形状を有する着物が形成される。
【００５４】
なお、ボタン６４及びボタンホール６３の取付け作業は、必ずしも衿関連部材取付け工程Ｓ４において行うことに限られず、例えば、後述する本体仕上げ工程Ｓ９の後に行っても良い。
【００５５】
［４−２］後衿取付け過程Ｓ４１
後衿取付け過程Ｓ４１では、上身頃１０ａ、１０ｂの後衿付線１３０ａ、１３０ｂに沿って、衿５のうち後側上身頃１００ａ、１００ｂ側に取付けられる衿後部５０を縫着する。これにより、図３及び図４に示すように、肩山線より後ろ側の後側上身頃途中にかけて中心角略９０度の円弧状の後衿付線１３０ａ、１３０ｂに沿って縫着される衿後部５０は従来の後衿の位置よりも後方に傾倒するので、衿抜き作業を行うことなく、衿抜きがされた衿と同様の美しい形状の衿５を形成することができるので、一人でも容易かつ迅速に着用することができる。
【００５６】
［４−３］前衿取付け過程Ｓ４２
前衿取付け過程Ｓ４１では、上身頃１０ａ、１０ｂの前衿付線１３１ａ、１３１ｂに沿って、衿５のうち前側上身頃１０１ａ、１０１ｂ側に取付けられる衿前部５１を縫着する。これにより、前衿付線１３１ａ、１３１ｂに沿って縫着される衿前部５１は立体的に胸元に沿った形状に取付けられるので、胸元を合わせる作業を省くことができ、一人でも容易に着用することができる。
【００５７】
［５］袖付け工程Ｓ５
袖付け工程Ｓ５では、上身頃１０ａ、１０ｂの外側縁部１５に袖９を縫着する作業を行う。袖９を二つに折り、袂９０が形成されるよう縁部を縫着する。袂９０が形成された側と反対側の縁部を、上身頃１０ａ、１０ｂの袖通し用孔１７ａ、１７ｂに取り付ける。これにより、着用者が袖通し用孔１７ａ、１７ｂから袖９に袖を通すことができる。
【００５８】
［６］第２内縁部接続工程Ｓ６
第２内縁部接続工程Ｓ６では、後下身頃４０ａ、４０ｂを縫着する作業を行う。左後下身頃４０ａの内側背縫い部４３ａと右後下身頃４０ｂの内側背縫い部４３ｂを縫着する。これにより、後下身頃４０ａ、４０ｂが一体に形成される。
【００５９】
［７］衽付け工程Ｓ７
衽付け工程Ｓ７では、前下身頃２０ａ、２０ｂに衽３０ａ、３０ｂを縫着する作業を行う。前下身頃２０ａ、２０ｂの衽取付け縁部２４ａ、２４ｂに衽３０ａ、３０ｂを取り付ける。これにより、前下身頃２０ａ、２０ｂと衽３０ａ、３０ｂが一体に形成される。
【００６０】
［８］足周り接続工程Ｓ８
足周り接続工程Ｓ８では、左前下身頃２０ａと左後下身頃４０ａ、及び右前下身頃２０ｂと右後下身頃４０ｂを縫着する作業を行う。左前下身頃２０ａの外側縁部と左後下身頃４０ａの外側縁部を縫着して左体側縫着部８ａを形成し、右前下身頃２０ｂの外側縁部と右後下身頃４０ｂの外側縁部を縫着して右体側縫着部８ｂを形成する。これにより、左前下身頃２０ａと左後下身頃４０ａ、及び右前下身頃２０ｂと右後下身頃４０ｂが一体に形成される。
【００６１】
［９］本体仕上げ工程Ｓ９
本体仕上げ工程では、上下身頃１、２、４を接続し、お端折７を形成し、お端折７の端部７１、７４が接続される接続部の取付を行う。
【００６２】
［９−１］上下身頃接続工程Ｓ９０
上下身頃接続工程Ｓ９０では、上身頃１０ａ、１０ｂと、前下身頃２０ａ、２０ｂ及び後下身頃４０ａ、４０ｂを縫着する作業を行う。上身頃１０ａ、１０ｂの前端側縁部１２０ａ、１２０ｂに、前下身頃２０ａ、２０ｂを縫着すると共に、上身頃１０ａ、１０ｂの後端側縁部１４０ａ、１４０ｂに、後下身頃４０ａ、４０ｂを縫着する。これにより、上身頃１０ａ、１０ｂと、前下身頃２０ａ、２０ｂ及び後下身頃４０ａ、４０ｂが一体に形成されると共に、前端側縁部１２０ａ、１２０ｂが内側に向かって肩山線１１ａ、１１ｂ側に傾斜していることから、図２（ｂ）に示すように、褄先２３が上方に持ち上がるので、全体として裾窄まりの形状を形成することができる。
【００６３】
［９−２］お端折形成工程Ｓ９１
お端折形成工程Ｓ９１では、お端折部７を形成して縫着する作業を行う。上身頃１と、前下身頃２０ａ、２０ｂの上端部２１ａ、２１ｂ及び後下身頃４０ａ、４０ｂの上端部４１ａ、４１ｂとが縫着された縫着部８０付近を折返して重ねてお端折部７を形成する。図４に示すように、このお端折部７の上部７０付近で重なっている上身頃１、前下身頃２０ａ、２０ｂ、及び後下身頃４０ａ、４０ｂを縫着することにより、お端折部７の形状は保持されるので、着用時にお端折部７を形成する作業をすることなく、一人でも容易かつ迅速に着用することができる。
【００６４】
［９−３］接続具取付け工程Ｓ９２では、お端折部７の巻始め端部７１や巻終り端部７４又はその近傍に接続具である主ファスナー７２や７５を設け、中間部位に従ファスナー７３…と７６…を縫い付けてある。お端折部７の始端７１近傍の下身頃２、４には主ファスナー７２が設けられ、及び主ファスナー７２と係合可能な従ファスナー７３…は、お端折部７の内面の一周位置７ｔ、すなわち左体側縫着部８ａの上身頃１０ａ側寄りに設けられている。主ファスナー７２と従ファスナー７３…を係合させることで、右前下身頃２０ｂ、右前下身頃２０ｂと縫着された右衽３０ｂ、及び右前下身頃２０ｂが縫着された右上身頃１０ｂにより着用者の前面を被覆するように固定することができるので、着用時に着崩れするのを防ぐことができると共に、一人でも容易かつ迅速に着用することができる。
【００６５】
お端折部７の巻終り端部７４近傍の下身頃２には、主ファスナー７５が取付けられ、主ファスナー７５と係合可能な従ファスナー７６…は、お端折部７の全長の位置の外面に設けられている。
主ファスナー７５と従ファスナー７６…中の一つを体形に応じて選んで装着係合させることで、左前身頃２０ａ、左前身頃２０ａと縫着された左衽３０ａ、及び左前身頃２０ａが縫着された左上身頃１０ａにより着用者の前面を被覆するように固定することができるので、着用時に着崩れるのを防ぐことができると共に、一人でも容易かつ迅速に着用することができる。
【００６６】
これにより、着用者の前面を覆う生地が主ファスナー７２、７５と３本構成の従ファスナー７３…、７６…との装着接続により固定されるので、着用時に着物の胸元が徐々に開いてしまうなどの着崩れを防ぎやすくなる。
【００６７】
なお、本実施例では、従ファスナー７３…、７６…を三本設けているので、所望の一つを選択することで、様々な胴回りのサイズに対応させることができる。前記主ファスナー７２、７５も三本のように、複数設けることで、合計９種類の装着接続ができ、より細かいサイズ選択が可能となる。主ファスナーと従ファスナーとの個数を逆にして、主ファスナー複数個、従ファスナーを１個のみとしてもよい。さらに、各サイズごとにファスナーの
色を変えるようにしてもよく、この場合着用時に対応する主従のファスナーを容易に見つけることができて能率的である。
【００６８】
着脱具や支持具は、より具体的には、スライダーＳを要するファスナーの他にボタンやフック、ホック、或いは紐やリボンを縫い付けても足りる。すなわち、紐やリボンの一端を縫い付けておき、縫い付けずにフリーの状態にした他端同士を結んで装着接続する。
この着脱具や支持具は、着物自体に取付けてもよいが、着物を着る際にお端折部を形成する場合は、このお端折部の形成位置を想定して取付ける。お端折部を形成しない着方をする場合は、お端折部を形成する高さや帯の高さを想定して取付けることになる。
【００６９】
また、本発明に係る着物の上身頃１や下身頃２，４の寸法を適宜変えることで、様々な体型にそれぞれに対応した着物を製造することができる。
【００７０】
さらに、本実施例では上身頃と下身頃を縫着した縫着部８０にお端折を形成しているが、図４（ｃ）に示すように、下身頃にお端折部７を形成した後に、該下身頃２、４を上身頃１の下端に縫着するようにしてもよい。
【００７１】
この場合は、下身頃２、４のお端折部７は折畳んで、上身頃１に縫着することによりお端折部７と上下身頃１、２、４を一体的に逢着することができる。このため、縫着回数は一回で済み、作業負担が軽減される。
【００７２】
［着用方法］
本発明の着物に係る着用方法について、図６を用いて説明する。
［１］第１工程（Ｓ２１）第１工程Ｓ２１では、本発明に係る着物をはおる作業を行う。第１工程は、衿刳り構造があらかじめ形成された着物の着用工程Ｓ２１ａ及び立体構造があらかじめ形成された着物の着用工程Ｓ２１ｂより構成される。
【００７３】
［１−１］着物の着用工程（Ｓ２１ａ）
着物の着用工程Ｓ２１ａでは、被取付部６５が、取付け領域６１内の所定の取付部６０に取付けられ、被係合部であるボタンホール６３が、係合部であるボタン６４に取付けられた着物を着用することで、衿後部５０は後方に傾倒するので、衿抜き作業を行うことなく、衿抜きがされた衿と同様の美しい形状の衿５を有する着物を、一人でも容易かつ迅速に着用することができる。
【００７４】
［１−２］着物の着用工程（Ｓ２１ｂ）
着物の着用工程Ｓ２１ｂでは、上身頃対１、前下見頃対２及び後下見頃対４の部材に分割することによって、着用者の身体の凹凸に沿って立体的に形成することができると共に、上身頃１と下身頃２、４間を折畳んでお端折部７を形成することによって、お端折部７作成のための作業負担が軽減される。これにより、着物全体の形状等の微調整を行うことなく、容易かつ迅速に着用することができる。
【００７５】
［２］第２工程（Ｓ２２）
第２工程（Ｓ２２）では、上身頃対１に取付けた袖９に腕を通した後、お端折部７の一端を巻いて、所定位置で固定する作業を行う。右前下身頃２０ｂ及び右上身頃１０ｂを固定することができるので、胸元が開くなどの着崩れを防ぐことができる。
【００７６】
［２］第３工程（Ｓ２３）
第３工程（Ｓ２３）では、お端折の他端を巻いて、お端折部の中間に固定する作業を行う。着用者は左前下身頃２０ａを巻いて主ファスナー７２、７５と従ファスナー７３…、７６…を装着係合させて固定することにより、右前下身頃２０ｂ及び右上身頃１０ｂを固定
することができるので、胸元が開くなどの着崩れを防ぐことができる。
【００７７】
このように、本発明の実施の形態に係る着物を着用することで、従来行っていた裾の位置決め、お端折の形成、衿元の位置決めや衿抜きの作業を行うことなく、容易に着用することができる。即ち、例えば、着物の着用に不慣れな外国の旅行者であっても簡便に着用することができるので、着物を手軽に着用して写真撮影などを行いたい場合などに適した着用方法である。
【産業上の利用可能性】
【００７８】
以上のように、本発明では、ハーフファスナーなどの着脱具や支持具は帯で隠れるので、着物自体やお端折部にハーフファスナー等を取付けた着物であっても、お端折部の始端部及び終端部に１以上の装着具を取付け、前記の始端部及び終端部の装着具が装着係合して接続する１以上の支持具をお端折部の長さの一周位置や全長位置に取付け、前記の装着具や支持具を着物自体に取付ける場合は、帯で隠れる高さに設けてあるので、本発明の着物の着用時は、体形の如何に係わらず、従来の美しい形態を保ちながらも、着崩れしにくく、一人でも容易かつ迅速に着用できる。
【符号の説明】
【００７９】
１    上身頃対
２    前下身頃対
３    衽対
４    後下身頃対
５    衿
６    背力布（衿抜き部材）
７    お端折部
９    袖
１０ａ、１０ｂ    左右の上身頃
１１ａ、１１ｂ    肩山線
１２ａ、１２ｂ    前端側領域
１３  衿付部（衿刳り）
１４ａ、１４ｂ    後端側領域
１５  外側縁部
１６  背縫い部（傾斜内縁部）
２０ａ、２０ｂ    前下身頃
２１ａ、２１ｂ    上端部（上身頃側領域）
２４ａ、２４ｂ    衽取付け縁部
３０ａ、３０ｂ    衽
４０ａ、４０ｂ    後下身頃
４１ａ、４１ｂ    上端部（上身頃側領域）
４３ａ、４３ｂ    内側背縫い部（内側縁部）
５０  衿後部
５１  衿前部
６０  取付部
６１  取付け領域
６３  ボタンホール
６４  ボタン
７１  お端折部の長手方向始端部
７２  主ファスナー
７３…  従ファスナー
７４  お端折部の長手方向終端部
７５  主ファスナー
７６…  従ファスナー
１００ａ、１００ｂ    後側上身頃
１０１ａ、１０１ｂ    前側上身頃
１２０ａ、１２０ｂ    前端側縁部（傾斜前縁部）
１３０ａ、１３０ｂ    後衿付線
１３１ａ、１３１ｂ    前衿付線
１３２  後衿部
１３３  前衿部
１４０ａ、１４０ｂ    後端側縁部
１５０ａ、１５０ｂ    前外側縁部
１５１ａ、１５１ｂ    後外側縁部
１６０ａ、１６０ｂ    内側縁部
１６１ａ、１６１ｂ    縁部領域
【手続補正書】
【提出日】平成30年8月3日(2018.8.3)
【手続補正１】
【補正対象書類名】特許請求の範囲
【補正対象項目名】全文
【補正方法】変更
【補正の内容】
【特許請求の範囲】
【請求項１】
着物に予め取付けたお端折部の始端外面に始端ハーフファスナーを取付けてあり、この始端ハーフファスナーを装着して支持する始端支持ハーフファスナーを前記お端折部の内面の１周位置に取付けてあり、また前記お端折部の終端内面に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、
しかも前記終端支持ハーフファスナーに対し前記始端支持ハーフファスナーの位置が高く配置されていて、前記始端ハーフファスナーを前記始端支持ハーフファスナーと係合させることで、お端折部始端が水平状態から上昇するように構成されていることを特徴とする着物。
【請求項２】
着物に予め取付けたお端折部の始端外面に始端ハーフファスナーを取付けてあり、この始端ハーフファスナーを装着して支持する始端支持ハーフファスナーをお端折部の内面の１周位置に取付けてあり、また前記お端折部の終端部に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、
しかも前記終端支持ハーフファスナーに対し前記始端支持ハーフファスナーの位置が高く配置されていて、前記始端ハーフファスナーを前記始端支持ハーフファスナーと係合させることで、お端折部始端が水平状態から上昇するように構成してあり、
太った体形の人が着る場合は、前記の始端支持ハーフファスナー及び前記の終端支持ハーフファスナーのお端折部着用長さが長くなるように前記の始端支持ハーフファスナー及び前記の終端支持ハーフファスナーを選択して装着支持し、痩身者が着る場合は、前記のお端折部着用長さが短くなるように前記の始端支持ハーフファスナー及び前記の終端支持ハーフファスナーを選択して装着支持することを特徴とする着物の着付け方法。
【請求項３】
衿部分の真後ろに縦帯状の背力布の上端が接続されており、前記背力布の下端又は下端近傍を前記衿部分が形成された着物の後身頃の内面に着脱する構成となっており、前記背力布を下方に引いて衿抜きした状態で、前記後身頃の内面に装着固定する構造を特徴とする請求項１に記載の着物。
【手続補正２】
【補正対象書類名】明細書
【補正対象項目名】全文
【補正方法】変更
【補正の内容】
【発明の詳細な説明】
【技術分野】
【０００１】
本発明は、着物及び着物の着付け方法に関する。詳しくは、一人でも各種サイズに対応して容易かつ迅速に着崩れしにくい着付けができる技術を実現する。
【背景技術】
【０００２】
着物は、様々な体型の人が着用することができるようゆとりをもって作られているので、着用時に個々の体型に合わせて微調整する作業が必要である。具体的には、「衿抜き」と言われる、衿の後ろ部分の空き具合、裾にかけてすぼまった形状、お端折の形成、背中部分の後身頃に皺ができないように生地を身体に添わせるなどである。これらの作業は、着用時の美しい形状を形成するため、必要な作業とされている。このため、着物を一人で着用できるようになるにはある程度の時間が必要となり、たとえ一人で着用できるようになっても、着用していると徐々に着崩れてしまうことから、着物を着用することにわずらわしさを感じ、いわゆる「着物離れ」が生じてしまっている。そして、この結果として着物を一人で着付けすることができない人が増えている。
特に、体形的に太った人が居れば、痩せた体形も有る。また、衿の後ろ部分を後方に倒す「えり抜き」と言われる作業は、鏡を見ながら片手を背中側に回して行う作業となるため、難しいとされる。
【０００３】
このようなことから、特許文献１に示すように、身頃の脇線の一部を裾にかけて裾窄まりに形成されるよう予め身頃の裾付近を斜めに裁った着物が考案されている。これにより、着物の美しい形状の一つである裾窄まりの形状が自然と形成される。また、特許文献２に示すように、上衣と下衣に分かれた、上下二部式の着物も考案されている。これにより、お端折を容易に形成することが出来、また後身頃にダーツを設けて予め体型に沿った形状に形成しているので、微調整する必要がなく容易に着用することができる。
【先行技術文献】
【特許文献】
【０００４】
【特許文献１】特開２００７−７７５５３号公報
【特許文献２】特開２００７−１６３７２号公報
【発明の概要】
【発明が解決しようとする課題】
【０００５】
しかしながら、特許文献１に記載された着物では、着物の柄のデザイン性が大きく損なわれることが考えられる。着物の柄は、従来の裁断方法で裁断されることを前提として、反物の幅に合ったデザインが施されており、このような柄を無視して裁断すると、隣接する身頃の柄に違和感が生じてしまうだけでなく、従来通りの衿抜きの作業を行わなければならない点については解消されていない。このため、着物の美しい形状が損なわれてしまうことが考えられる。
【０００６】
また、特許文献２に記載された着物では、上衣の裾を両面テープで折畳むことでお端折を形成しているため、着崩れし易いだけでなく、後身頃にダーツを設けたことで後身頃に生地の皺が生じやすくなり、着物の美しい形状が形成され難い。
【０００７】
本発明の技術的課題は、このような問題に着目し、体形と関係無く着物の着付け時に美しい形状を形成し、着崩れしにくく、しかも一人でも容易かつ迅速に着付けることができる技術を実現することにある。
【課題を解決するための手段】
【０００８】
本発明の技術的課題は次のような手段によって解決される。請求項１は、着物に予め取付けたお端折部の始端外面に始端ハーフファスナーを取付けてあり、この始端ハーフファスナーを装着して支持する始端支持ハーフファスナーを前記お端折部の内面の１周位置に取付けてあり、また前記お端折部の終端内面に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、
しかも前記終端支持ハーフファスナーに対し前記始端支持ハーフファスナーの位置が高く配置されていて、前記始端ハーフファスナーを前記始端支持ハーフファスナーと係合させることで、お端折部始端が水平状態から上昇するように構成されていることを特徴とする着物である。前記の始端ハーフファスナーを始端支持ハーフファスナーに装着すると互いに嵌合支持されて固定され、お端折部の始端が揺れたり移動できなくなる。終端の場合も同様である。また、始端ハーフファスナーが始端支持ハーフファスナーから離脱すると離れて互いに自由となる仕組みである。
【０００９】
請求項２は、着物に予め取付けたお端折部の始端外面に始端ハーフファスナーを取付けてあり、この始端ハーフファスナーを装着して支持する始端支持ハーフファスナーをお端折部の内面の１周位置に取付けてあり、また前記お端折部の終端部に終端ハーフファスナーを取付けて、この終端ハーフファスナーを装着して支持する終端支持ハーフファスナーを前記お端折部の外面のお端折部全長位置に取付けた構成において、
前記の始端側及び終端側のハーフファスナーは、始端側及び終端側とその支持側との片方を２以上とし、他方を１以上とすると共に、各ハーフファスナーは上下に長く、
しかも前記終端支持ハーフファスナーに対し前記始端支持ハーフファスナーの位置が高く配置されていて、前記始端ハーフファスナーを前記始端支持ハーフファスナーと係合させることで、お端折部始端が水平状態から上昇するように構成してあり、
太った体形の人が着る場合は、前記の始端支持ハーフファスナー及び前記の終端支持ハーフファスナーのお端折部着用長さが長くなるように前記の始端支持ハーフファスナー及び前記の終端支持ハーフファスナーを選択して装着支持し、痩身者が着る場合は、前記のお端折部着用長さが短くなるように前記の始端支持ハーフファスナー及び前記の終端支持ハーフファスナーを選択して装着支持することを特徴とする着物の着付け方法である。
【００１０】
請求項３は、衿部分の真後ろに縦帯状の背力布の上端が接続されており、前記背力布の下端又は下端近傍を前記衿部分が形成された着物の後身頃の内面に着脱する構成となっており、前記背力布を下方に引いて衿抜きした状態で、前記後身頃の内面に装着固定する構造を特徴とする請求項１に記載の着物である。
着脱手段として、実施例ではボタンをボタンホールに嵌入して装着する例を図示したが、ボタンに代えてフックを用いても良い。
【発明の効果】
【００１１】
請求項１のように、始端ハーフファスナーを装着して支持する複数の始端支持ハーフファスナーを前記お端折部の内面の１周位置に取付けてある。ただし、後で詳述するように高めに配置してある。また、前記お端折部の終端内面に１以上の終端ハーフファスナーを取付けて、この終端ハーフファスナーを装着して支持する複数の終端支持ハーフファスナーを前記お端折部の外面のお端折部全長位置に取付けてあるので、着用者の腹囲寸法の差異に対応して、複数のハーフファスナーの一つを選んで使用することで、どのような体形にも対応できる。
さらに、前記の始端側及び終端側のハーフファスナーは、始端側及び終端側とその支持側との片方を２以上とし、他方を１以上とすると共に、各ハーフファスナーは図のように上下に長い。しかも、前記終端支持ハーフファスナーに対し前記始端支持ハーフファスナーの位置が高く配置されていて、お端折部始端が水平状態から上昇して前記始端支持ハーフファスナーと同じ高さとなる位置で前記始端ハーフファスナーを前記お端折部始端外面に取付けてある。このように図２（ａ）の始端支持ハーフファスナー７３が終端支持ハーフファスナー７６より高く配置されているので、装着支持する際に始端７１と共に着物も上昇することになる。段落[0039]の末尾に記載されているように、お端折部７の上端縁を予め着物に縫い付け支持してあるからである。
【００１２】
請求項２のように、前記の着物を着る際に、太った体形の人が着る場合は、お端折部着用長さが長くなるように前記の始端支持ハーフファスナー及び前記の終端支持ハーフファスナーを選択して装着し支持する。
また、痩身者が着る場合は、前記のお端折部着用長さがが短くなるように、前記の始端支持ハーフファスナー及び前記の終端支持ハーフファスナーを選択し、複数から一つを選んで使用することで、どのような体形にも対応できる。
【００１３】
請求項３のように、背力布を下方に引いて衿抜きした状態で、前記後身頃の内面に装着固定するが、図３の実施例では、ボタンをボタンホールに係合させることで背力布をボタン側に牽引して衿抜き可能とした。このように、背力布の下端を下に引いて装着するだけで衿抜きでき、一人でも容易かつ迅速に衿抜きができる。
【図面の簡単な説明】
【００１４】
【図１】本実施例の着物を構成する上身頃対、前下身頃対及び後下身頃対の形状を表した展開図である。
【図２】本実施例の着物のサイズ調節構成を示す正面図である。
【図３】本実施例の着物の後衿部の構成を示す斜視図である。
【図４】本実施例の着物の背力布を示す断面図である。
【図５】本実施例の着物の製造方法を示す工程図である。
【図６】本実施例の着物の着用方法の工程図である。
【発明を実施するための形態】
【００１５】
次に本発明による着物の構成及び着物の着付け方法について、図１乃至図６を参照しながら説明し、本発明の理解に供する。なお、本明細書では、「左」「右」とは、それぞれ順に、着用者にとっての左手側を、着用者にとっての右手側を示す。また、「前」「後」、それぞれ順に、着用者にとっての前方を、着用者にとっての後方を示す。そして、「上」「下」とは、それぞれ順に、着用者にとって足部から頭部に向けての方向を、着用者にとって頭部から足部に向けての方向を示す。さらに、「内側」「外側」とは、それぞれ順に着用者の身体の中心に近い側を、着用者の身体の中心から遠い側を示す。なお、図１において縫い代は省略している。
【００１６】
本発明に係る着物について、図１乃至図４を用いて説明する。まず、図１乃至図３に示すように、本実施の形態の着物は、上身頃対１、前下身頃対２、衽対３、後下身頃対４、衿５、衿抜き部材の一例である背力布６、袖９の構成部材から成る。
【００１７】
上身頃対１は左上身頃１０ａ及び右上身頃１０ｂから成り、それぞれ長手方向の略中央に肩山線１１ａ、１１ｂを有する。肩山線１１ａ、１１ｂを含む領域の生地は、本実施の形態の着物を着用した際、着用者の肩の最上部付近に位置する。
【００１８】
左右の上身頃１０ａ、１０ｂのうち、肩山線１１ａ、１１ｂを境にして、着用時に着用者の前側に位置する部分を前側上身頃１０１ａ、１０１ｂとし、後側に位置する部分を後側上身頃１００ａ、１００ｂとする。左右の上身頃１０ａ、１０ｂは、図１においては略左右反転した形状を有し、上身頃１０ａ、１０ｂとも他方の上身頃と対向する縁部は、後側上身頃１００ａ、１００ｂから前側上身頃１０１ａ、１０１ｂにかけて切欠かれている。
【００１９】
具体的には、後側上身頃１００ａ、１００ｂは中心角略９０度の円弧状に切欠かれて、後衿付線１３０ａ、１３０ｂが形成される。この後衿付線１３０ａ、１３０ｂに連続するようにして、前側上身頃１０１ａ、１０１ｂの肩山線１１ａ、１１ｂから前端側領域１２ａ、１２ｂにかけて斜めに切欠かれた前衿付線１３１ａ、１３１ｂが形成される。
そして、このような後衿付線１３０ａ、１３０ｂを有する後衿部１３２と、前衿付線１３１ａ、１３１ｂを有する前衿部１３３とを併せて、衿刳りの一例である衿付部１３が形成される。
【００２０】
この後衿付線１３０ａ、１３０ｂに沿って衿５の衿後部５０を取付けることで、衿５が後方に傾倒し、自然と衿抜きがされた衿と同様の美しい形状の衿５を形成することができると共に、衿抜きの作業をすることなく、一人でも容易かつ迅速に着用することができる。
【００２１】
また、前衿付線１３１ａ、１３１ｂに沿って衿５の衿前部５１を取付けることで、胸元の衿が自然と合わさった、美しい形状の衿５を形成することができると共に、胸元を合わせる作業をすることなく、一人でも容易かつ迅速に着用することができる。
【００２２】
また、傾斜内縁部の一例である、上身頃１０ａ、１０ｂの背縫い部１６は、後側上身頃１００ａ、１００ｂの内側の縁部であって、後衿付線１３０ａ、１３０ｂの部分を除いた縁部である内側縁部１６０ａ、１６０ｂと、その近傍であって、背中部分や脇部分に位置する縁部領域１６１ａ、１６１ｂとから成る。内側縁部１６０ａ、１６０ｂは、肩山線１１ａ、１１ｂから後端側領域１４ａ、１４ｂに向けて離間するにしたがって、外側に傾斜して形成されている。
【００２３】
この内側縁部１６０ａ、１６０ｂを縫着することで、上身頃を略筒状に形成することができると共に、下方を細くして上身頃１を着用者の胴回りに沿った、下窄まりの立体的な形状に形成することができると共に、着用時の背中部分や脇部分である縁部領域１６１ａ、１６１ｂに、生地の皺が生じるのを防ぐことができる。
【００２４】
なお、胴回りが太い着用者の場合には、内側縁部１６０ａ、１６０ｂの傾斜角度を変えるなどして徐々に垂直方向に近づけることで対応することができる。
【００２５】
また、上身頃１０ａ、１０ｂの外側縁部１５は、前外側縁部１５０ａ、１５０ｂ及び後外側縁部１５１ａ、１５１ｂから成る。前外側縁部１５０ａ、１５０ｂは肩山線１１ａ、１１ｂから前端側領域１２ａ、１２ｂにかけて内側に傾斜している。後外側縁部１５１ａ、１５１ｂは、肩山線１１ａ、１１ｂから後端側領域１４ａ、１４ｂにかけて内側に傾斜している。
【００２６】
前外側縁部１５０ａ、１５０ｂの一部と、後外側縁部１５１ａ、１５１ｂの一部を縫着することで、上身頃を略筒状に形成することができると共に、下方を細くして上身頃１を着用者の胴回りに沿った、下窄まりの立体的な形状に形成することができる。
【００２７】
背力布６は帯状の形状を有し、伸縮性のない素材で形成されている。また、背力布６の一端であり、被取付部６５は、着物Ａの内側で後衿付線１３０ａ、１３０ｂと内側縁部１６０ａ、１６０ｂとが交わる交点又はその周辺の取付け領域６１内の所定の取付部６０に取付けられる。また、背力布６の他端である被係合部であるボタンホール６３は、後下見頃対４の内面の所定の係合部であるボタン６４に取付けられる。
【００２８】
後身頃の一部に取付けられた係合部の一例であるボタン６４をボタンホール６３に係合することで背力布６にボタン６４側の牽引力を持たせることができる。
【００２９】
背力布６は、取付部６０とボタン６４間の長さよりも短く形成され、かつボタン６４は帯（図示せず）によって押圧される位置に取り付けられているので、背力布６の被取付部６５にボタン６４側への牽引力が生じる。このボタン６４側への牽引力が取付け領域６１に加えられることで、衿５が後方に傾倒するので、衿抜き作業をすることなく衿抜きがされた衿と同様の美しい形状の衿５を形成することができる。また、背力布６によって着物の形状が略一定に保持されるので、着用時に衿の位置がずれるなどの着崩れが生じにくくなる。さらに、背力布６は、着物Ａの内側に取付けられるため着物Ａの外観を損なうことがないので、美しい形状を有する着物が形成される。
【００３０】
また、背力布６により取付け領域６１にボタン６４側への牽引力が加えられた際には、図４（ａ）（ｂ）に示すように、縁部領域１６１ａ、１６１ｂの余分な布地はボタン６４側に引っ張られてお端折部７の内側に折畳まれて収容される。このため、生地がお端折部７の表面に露出することを防ぐことができる。
【００３１】
なお、ボタンホール６３が設けられる位置は、背力布６の端部に限られるものではなく、背力布６の途中部に設けることができ、また複数個所設けることもできる。この場合、取付け領域６１とボタン６４の取付け位置までの長さを容易に変更することができるので、着用者の体型に適した長さにすることができる。そして、ボタンホール６３の位置に応じて取付け領域６１に加えられる牽引力の大きさが変化するので、ボタンホール６３の位置を選択して衿５の傾倒する角度を調整することができる。また、本実施例では、背力布６の幅は約７センチに形成されているが、これに限られるものではない。例えば、背力布の幅を７センチよりも細くすると、衿後部の形状をやや幅狭な形状にすることができ、７センチよりも太くすると、衿後部は丸みを帯びた形状に形成される。なお、背力布６は伸縮性のない素材に限定されるものではなく、ゴムなどの弾性材を用いても良い。
【００３２】
衽対３は、帯状の左右の衽３０ａ、３０ｂから成り、その幅方向の一端は前下身頃２０ａ、２０ｂの幅方向の内側の端部に縫着される。
【００３３】
前下身頃対２は、帯状の左右の前下身頃２０ａ、２０ｂから成り、上身頃側領域の一例である上端部２１ａ、２１ｂは上身頃１０ａ、１０ｂの前端側領域１２ａ、１２ｂに縫着される。本実施例においては、前下身頃２０ａ、２０ｂの幅は、前端側領域１２ａ、１２ｂの幅と略同一に形成されている。なお、前下身頃２０ａ、２０ｂの幅は、前端側領域１２ａ、１２ｂの幅と略同一の長さに形成されることに限られず、着用者のサイズに合わせて、適宜変更することができる。
【００３４】
ここで、前端側領域１２ａ、１２ｂの傾斜前縁部の一例である前端側縁部１２０ａ、１２０ｂは、外側から内側に向けて肩山線１１ａ、１１ｂ側に傾斜している。このため、前端側縁部１２０ａ、１２０ｂに前下身頃２０ａ、２０ｂ及び衽３０ａ、３０ｂを縫着すると、前下身頃２０ａ、２０ｂの下端部２２ａ、２２ｂ、及び衽３０ａ、３０ｂの下端部３１ａ、３１ｂは、外側から内側に向けて傾斜した形状となる。その結果、図２（ｂ）に示すように、衽３０ａの下端部３１ａの褄先２３が持ち上がった、いわゆる裾窄まりの形状が自然と形成される。
【００３５】
なお、右前下身頃２０ｂと右衽３０ｂを別個に裁断せず、一体の生地として裁断しても良い。右衽は着用時に、左衽及び左前下身頃に覆われて露出しないので、右前下身頃と右衽を一体に裁断することで縫着する手間を省くことが出来るからである。
【００３６】
後下身頃対４は、帯状の左右の後下身頃４０ａ、４０ｂから成り、上身頃側領域の一例である上端部４１ａ、４１ｂは上身頃１０ａ、１０ｂの後端側領域１４ａ、１４ｂに縫着される。後下身頃４０ａ、４０ｂの幅は、後端側領域１４ａ、１４ｂの後端側縁部１４０ａ、１４０ｂ幅と略同一に形成されている。なお、後下身頃４０ａ、４０ｂの幅は、後端側領域１４ａ、１４ｂの幅と略同一の長さに形成されることに限られず、着用者のサイズに合わせて、適宜変更することができる。
【００３７】
ここで、後端側縁部１４０ａ、１４０ｂは、肩山線１１ａ、１１ｂと略平行に配置されている。このため、後端側縁部１４０ａ、１４０ｂに後下身頃４０ａ、４０ｂを縫着すると、後下身頃４０ａ、４０ｂの下端部４２ａ、４２ｂは、略水平に配置される。
【００３８】
図４（ｂ）に示すように、上身頃１と前下身頃２０ａ、２０ｂの上端部２１ａ、２１ｂ及び後下身頃４０ａ、４０ｂの上端部４１ａ、４１ｂとが縫着された縫着部８０付近を折返して重ねた重なり部にお端折部７が形成される。このお端折部７の上部７０付近で重なっている上身頃１、前下身頃２０ａ、２０ｂ、及び後下身頃４０ａ、４０ｂにお端折部７を縫着することにより、お端折部７の形状は保持されるので、着用時にお端折部７を形成する作業をすることなく、一人でも容易かつ迅速に着用することができる。
【００３９】
着物を着る場合、通常、身体に着物を時計廻りに巻きつけるように右袖の有る右端から先に身体に巻くように着るので、図２のように、左前の着方になる。上方から見た場合、「の」の字の筆順の順序で右廻りに着る。逆に、下方から見て、「の」の字を左右反転した順序で左廻りに着ることも可能であり、この場合は、右前の着方になる。図示着物には、お端折部７の上端縁を予め着物に縫い付け支持してある。図示のお端折部７は、帯のように上端縁と下端縁間の幅で長く形成されている。「長く」と言っても、着用者の胴の外面に巻いた場合の約一周半程度の長さ、すなわち着物を着た場合の着物の胴廻り寸法とする。
【００４０】
図２（ａ）は、着物のサイズ調節構成の実施例を示す正面図である。お端折部７の巻始めすなわち始端７１の近傍内側にある下身頃の部分には、主ファスナー７２のような始端着脱具７２が縫い付けられており、主ファスナー７２と係合可能な従ファスナー７３…すなわち３本の始端支持具７３…が、お端折７の内面の、お端折部の１周位置すなわち、左前下身頃２０ａと左後下身頃４０ａが縫着される左体側縫着部８ａの上身頃１０ａ側のお端折部７に取付けられている。図２（ａ）に実線で示すお端折部７は、始端７１の主ファスナー７２が３本の従ファスナー７３…と同じ高さに位置していて、装着する直前の状態を示している。一方、前記主ファスナー７２を前記従ファスナー７３…に装着支持する前段階では、お端折部全体を水平の状態で胴体に巻き付けられる。従って、着物Ａのお端折部始端７１に縫い付けた部分も、ファスナー同士の装着操作によって上昇することになる。
【００４１】
ファスナーは、務歯列を互いに対向させ、間に設けた楔体と両外側に配設した押さえ部とから成るスライダーを移動させて左右の務歯列を開閉する構造である。すなわち、主ファスナー７５と従ファスナー７３…は、片方の務歯列とスライダーＳとを有し、主ファスナー７２と従ファスナー７６…は、他方の務歯列のみを有しており、スライダーＳの操作で両務歯列が結合した際にファスナーが装着接続したことになる。
【００４２】
主ファスナー７２を従ファスナー７３…（主ファスナー７２側も複数個設けてもよい）に装着して互いに接続させることで、右前下身頃２０ｂ、右前下身頃２０ｂと縫着された右衽３０ｂ、及び右前下身頃ｄ０ｂが縫着された右上身頃１０ｂにより着用者の前面を覆うように固定することができるので、お端折部７の始端７１が揺れ動いたりして着用時に着崩れするのを防ぐことができると共に、一人でも容易かつ迅速に着ることができる。
【００４３】
お端折部７の巻き終りすなわち終端部７４又は近傍の下身頃には主ファスナー７５すなわち終端装着具７５が縫い付けられており、主ファスナー７５を装着して支持可能な従ファスナー７６…すなわち終端支持具７６…が、お端折部７の全長位置に縫い付けられている。
着脱ファスナー７５を支持ファスナー７６…に装着し互いに係合させることで、左前下身頃２０ａ、左前下身頃２０ａと縫着された左衽３０ａ、及び左前下身頃２０ａが縫着された左上身頃１０ａにより着用者の前面を覆うように固定することができるので、着用時に着崩れするのを防ぐことができると共に、一人でも容易かつ迅速に着用することができる。
【００４４】
また、主ファスナー７２、７５と従ファスナー７３…、７６…は帯を着用した際に帯で覆われる高さに設けられるので、着物を着た際に外観を損なうことがなく、着崩れするのを防ぐことができる。従って、着物自体に主ファスナー７２、７５や従ファスナー７３…、７６…を取付ける場合も、ファスナーなどの着脱具や支持具が帯で隠れるようにする。
【００４５】
なお、着物を構成する上身頃対１、前後の下身頃対２、４、袖９、衿５などの各寸法は、本発明の実施例に限られるものではない。例えば、これらの各寸法を変えることで、背が高くて痩せた体型、背が低くて痩せた体型、手足が長い体型、大柄な体型などの様々な体型にそれぞれ適合するサイズで作成された着物を作製することができる。
【００４６】
特に、衿は着用者の年齢や場面に応じてその開き具合が求められるので、様々な衿付部１３の前衿付線１３１ａ、１３１ｂ及び後衿付線１３０ａ、１３０ｂの形状が考えられる。例えば、胸元の衿を詰めた形状になる、直線状に形成された前衿付線、あるいは胸元の衿が開いた形状になる湾曲線状に形成された前衿付線などである。また、後衿付線１３１ａ、１３１ｂも、肩山線１１ａ、１１ｂから後側上身頃１００ａ、１００ｂ側へ大きく切欠くことで、後衿部１３２を大きく開くことができる。
【００４７】
このように、本発明では、着物の着用時の従来の美しい形状を保ちながらも、着崩れしにくく、一人でも容易かつ迅速に着用することができると共に、着用者の身体の凹凸に沿って立体的に作製された着物を提供することができる。
【００４８】
［着物の製造方法］
本発明に係る着物の製造方法について、図１乃至図５を用いて説明する。
［１］裁断工程Ｓ１裁断工程Ｓ１では、生地体（図示せず）から、衿５、各左右一対の上身頃１０ａ、１０ｂ、前下身頃２０ａ、２０ｂ、後下身頃４０ａ、４０ｂ、衽３０ａ、３０ｂ、及び袖９を裁断する作業を行う。
【００４９】
［２］第１内縁部接続工程Ｓ２
第１内縁部接続工程Ｓ２では、左右の上身頃１０ａ、１０ｂの背縫い部１６の内側縁部１６０ａ、１６０ｂを縫着する作業を行う。左上身頃１０ａの後側上身頃１００ａの内側縁部１６０ａと、右上身頃１０ｂの後側上身頃１００ｂの内側縁部１６０ｂを縫着する。これにより、左右の上身頃１０ａ、１０ｂが体型に沿った立体的な形状となり、後側上身頃１００ａ、１００ｂの縁部領域１６１ａ、１６１ｂに皺が生じにくくなって、美しい形状を有する上身頃１が形成される。
【００５０】
［３］脇縫い工程Ｓ３
脇縫い工程Ｓ３では、前側上身頃１０１ａ、１０１ｂと後側上身頃１００ａ、１００ｂの外側縁部１５を縫着する作業を行う。右上身頃１０ｂの前側上身頃１０１ｂの前外側縁部１５０ｂのうち前端側領域１２ｂ寄りの一部と、後側上身頃１００ｂの後外側縁部１５１ｂのうち後端部領域１４ｂ寄りの一部とを縫着する。また、左上身頃１０ａの前側上身頃１０１ａの前外側縁部１５０ａのうち前端側領域１２ａ寄りの一部と、後側上身頃１００ａの後外側縁部１５１ａのうち後端部領域１４ａ寄りの一部とを縫着する。これにより、左右の上身頃１０ａ、１０ｂを縫着することで、上身頃対を筒状に形成することができると共に、下方を細くして上身頃１を着用者の胴回りに沿った、下窄まりの立体的な形状に形成することができる。なお、外側縁部１５のうち縫着していない部分によって、後述する袖９と連続する袖通し用孔１７ａ、１７ｂを形成することができる。
【００５１】
［４］衿関連部材取付け工程Ｓ４
衿関連部材取付け工程Ｓ４では、取付け領域６１に背力布６を縫着する作業と、上身頃１０ａ、１０ｂの後衿付線１３０ａ、１３０ｂ及び前衿付線１３１ａ、１３１ｂに衿５を縫着する作業を行う。衿関連部材取付け工程Ｓ４は、衿抜き部材取付け過程Ｓ４０、後衿付取付け過程Ｓ４１及び前衿取付け過程Ｓ４２より構成される。
【００５２】
［４−１］衿抜き部材取付け過程Ｓ４０
衿抜き部材取付け過程Ｓ４０では、衿抜き部材の一例である背力布６の被取付部６５を上身頃の取付部６０に取付け、背力布６の被係合部であるボタンホール６３を係合部であるボタン６４に係合させる作業を行う。被取付部６５を取付け領域６１に設けられた取付部６０に縫着し、ボタン６４をボタンホール６３に係合させることで、背力布６を取付け部６０とボタン６４の間に介設することができる。
【００５３】
背力布６は、取付部６０とボタン６４間の長さよりも短く形成され、かつボタン６４は図３に示すように、帯（図示せず）によって押圧される位置に取り付けられているので、背力布６の被取付部６５にボタン６４側への牽引力が生じる。このボタン６４側への牽引力は取付け領域６１に伝わることで、衿５が後方に傾倒するので、衿抜き作業をすることなく衿抜きがされた衿と同様の美しい形状の衿５を形成することができると共に、背力布６によって着物の形状が略一定保持されるので、着用時に衿の位置がずれるなどの着崩れが生じにくくなる。さらに、背力布６は、着物Ａの内側に取付けられるため着物Ａの外観を損なうことないので、美しい形状を有する着物が形成される。
【００５４】
なお、ボタン６４及びボタンホール６３の取付け作業は、必ずしも衿関連部材取付け工程Ｓ４において行うことに限られず、例えば、後述する本体仕上げ工程Ｓ９の後に行っても良い。
【００５５】
［４−２］後衿取付け過程Ｓ４１
後衿取付け過程Ｓ４１では、上身頃１０ａ、１０ｂの後衿付線１３０ａ、１３０ｂに沿って、衿５のうち後側上身頃１００ａ、１００ｂ側に取付けられる衿後部５０を縫着する。これにより、図３及び図４に示すように、肩山線より後ろ側の後側上身頃途中にかけて中心角略９０度の円弧状の後衿付線１３０ａ、１３０ｂに沿って縫着される衿後部５０は従来の後衿の位置よりも後方に傾倒するので、衿抜き作業を行うことなく、衿抜きがされた衿と同様の美しい形状の衿５を形成することができるので、一人でも容易かつ迅速に着用することができる。
【００５６】
［４−３］前衿取付け過程Ｓ４２
前衿取付け過程Ｓ４１では、上身頃１０ａ、１０ｂの前衿付線１３１ａ、１３１ｂに沿って、衿５のうち前側上身頃１０１ａ、１０１ｂ側に取付けられる衿前部５１を縫着する。これにより、前衿付線１３１ａ、１３１ｂに沿って縫着される衿前部５１は立体的に胸元に沿った形状に取付けられるので、胸元を合わせる作業を省くことができ、一人でも容易に着用することができる。
【００５７】
［５］袖付け工程Ｓ５
袖付け工程Ｓ５では、上身頃１０ａ、１０ｂの外側縁部１５に袖９を縫着する作業を行う。袖９を二つに折り、袂９０が形成されるよう縁部を縫着する。袂９０が形成された側と反対側の縁部を、上身頃１０ａ、１０ｂの袖通し用孔１７ａ、１７ｂに取り付ける。これにより、着用者が袖通し用孔１７ａ、１７ｂから袖９に袖を通すことができる。
【００５８】
［６］第２内縁部接続工程Ｓ６
第２内縁部接続工程Ｓ６では、後下身頃４０ａ、４０ｂを縫着する作業を行う。左後下身頃４０ａの内側背縫い部４３ａと右後下身頃４０ｂの内側背縫い部４３ｂを縫着する。これにより、後下身頃４０ａ、４０ｂが一体に形成される。
【００５９】
［７］衽付け工程Ｓ７
衽付け工程Ｓ７では、前下身頃２０ａ、２０ｂに衽３０ａ、３０ｂを縫着する作業を行う。前下身頃２０ａ、２０ｂの衽取付け縁部２４ａ、２４ｂに衽３０ａ、３０ｂを取り付ける。これにより、前下身頃２０ａ、２０ｂと衽３０ａ、３０ｂが一体に形成される。
【００６０】
［８］足周り接続工程Ｓ８
足周り接続工程Ｓ８では、左前下身頃２０ａと左後下身頃４０ａ、及び右前下身頃２０ｂと右後下身頃４０ｂを縫着する作業を行う。左前下身頃２０ａの外側縁部と左後下身頃４０ａの外側縁部を縫着して左体側縫着部８ａを形成し、右前下身頃２０ｂの外側縁部と右後下身頃４０ｂの外側縁部を縫着して右体側縫着部８ｂを形成する。これにより、左前下身頃２０ａと左後下身頃４０ａ、及び右前下身頃２０ｂと右後下身頃４０ｂが一体に形成される。
【００６１】
［９］本体仕上げ工程Ｓ９
本体仕上げ工程では、上下身頃１、２、４を接続し、お端折７を形成し、お端折７の端部７１、７４が接続される接続部の取付を行う。
【００６２】
［９−１］上下身頃接続工程Ｓ９０
上下身頃接続工程Ｓ９０では、上身頃１０ａ、１０ｂと、前下身頃２０ａ、２０ｂ及び後下身頃４０ａ、４０ｂを縫着する作業を行う。上身頃１０ａ、１０ｂの前端側縁部１２０ａ、１２０ｂに、前下身頃２０ａ、２０ｂを縫着すると共に、上身頃１０ａ、１０ｂの後端側縁部１４０ａ、１４０ｂに、後下身頃４０ａ、４０ｂを縫着する。これにより、上身頃１０ａ、１０ｂと、前下身頃２０ａ、２０ｂ及び後下身頃４０ａ、４０ｂが一体に形成されると共に、前端側縁部１２０ａ、１２０ｂが内側に向かって肩山線１１ａ、１１ｂ側に傾斜していることから、図２（ｂ）に示すように、褄先２３が上方に持ち上がるので、全体として裾窄まりの形状を形成することができる。
【００６３】
［９−２］お端折形成工程Ｓ９１
お端折形成工程Ｓ９１では、お端折部７を形成して縫着する作業を行う。上身頃１と、前下身頃２０ａ、２０ｂの上端部２１ａ、２１ｂ及び後下身頃４０ａ、４０ｂの上端部４１ａ、４１ｂとが縫着された縫着部８０付近を折返して重ねてお端折部７を形成する。図４に示すように、このお端折部７の上部７０付近で重なっている上身頃１、前下身頃２０ａ、２０ｂ、及び後下身頃４０ａ、４０ｂを縫着することにより、お端折部７の形状は保持されるので、着用時にお端折部７を形成する作業をすることなく、一人でも容易かつ迅速に着用することができる。
【００６４】
［９−３］接続具取付け工程Ｓ９２では、お端折部７の巻始め端部７１や巻終り端部７４又はその近傍に接続具である主ファスナー７２や７５を設け、中間部位に従ファスナー７３…と７６…を縫い付けてある。お端折部７の始端７１近傍の下身頃２、４には主ファスナー７２が設けられ、及び主ファスナー７２と係合可能な従ファスナー７３…は、お端折部７の内面の一周位置７ｔ、すなわち左体側縫着部８ａの上身頃１０ａ側寄りに設けられている。主ファスナー７２と従ファスナー７３…を係合させることで、右前下身頃２０ｂ、右前下身頃２０ｂと縫着された右衽３０ｂ、及び右前下身頃２０ｂが縫着された右上身頃１０ｂにより着用者の前面を被覆するように固定することができるので、着用時に着崩れするのを防ぐことができると共に、一人でも容易かつ迅速に着用することができる。
【００６５】
お端折部７の巻終り端部７４近傍の下身頃２には、主ファスナー７５が取付けられ、主ファスナー７５と係合可能な従ファスナー７６…は、お端折部７の全長の位置の外面に設けられている。
主ファスナー７５と従ファスナー７６…中の一つを体形に応じて選んで装着係合させることで、左前身頃２０ａ、左前身頃２０ａと縫着された左衽３０ａ、及び左前身頃２０ａが縫着された左上身頃１０ａにより着用者の前面を被覆するように固定することができるので、着用時に着崩れるのを防ぐことができると共に、一人でも容易かつ迅速に着用することができる。
【００６６】
これにより、着用者の前面を覆う生地が主ファスナー７２、７５と３本構成の従ファスナー７３…、７６…との装着接続により固定されるので、着用時に着物の胸元が徐々に開いてしまうなどの着崩れを防ぎやすくなる。
【００６７】
なお、本実施例では、従ファスナー７３…、７６…を三本設けているので、所望の一つを選択することで、様々な胴回りのサイズに対応させることができる。前記主ファスナー７２、７５も三本のように、複数設けることで、合計９種類の装着接続ができ、より細かいサイズ選択が可能となる。主ファスナーと従ファスナーとの個数を逆にして、主ファスナー複数個、従ファスナーを１個のみとしてもよい。さらに、各サイズごとにファスナーの色を変えるようにしてもよく、この場合着用時に対応する主従のファスナーを容易に見つけることができて能率的である。
【００６８】
着脱具や支持具は、より具体的には、スライダーＳを要するファスナーの他にボタンやフック、ホック、或いは紐やリボンを縫い付けても足りる。すなわち、紐やリボンの一端を縫い付けておき、縫い付けずにフリーの状態にした他端同士を結んで装着接続する。
この着脱具や支持具は、着物自体に取付けてもよいが、着物を着る際にお端折部を形成する場合は、このお端折部の形成位置を想定して取付ける。お端折部を形成しない着方をする場合は、お端折部を形成する高さや帯の高さを想定して取付けることになる。
【００６９】
また、本発明に係る着物の上身頃１や下身頃２，４の寸法を適宜変えることで、様々な体型にそれぞれに対応した着物を製造することができる。
【００７０】
さらに、本実施例では上身頃と下身頃を縫着した縫着部８０にお端折を形成しているが、図４（ｃ）に示すように、下身頃にお端折部７を形成した後に、該下身頃２、４を上身頃１の下端に縫着するようにしてもよい。
【００７１】
この場合は、下身頃２、４のお端折部７は折畳んで、上身頃１に縫着することによりお端折部７と上下身頃１、２、４を一体的に逢着することができる。このため、縫着回数は一回で済み、作業負担が軽減される。
【００７２】
［着用方法］
本発明の着物に係る着用方法について、図６を用いて説明する。
［１］第１工程（Ｓ２１）第１工程Ｓ２１では、本発明に係る着物をはおる作業を行う。第１工程は、衿刳り構造があらかじめ形成された着物の着用工程Ｓ２１ａ及び立体構造があらかじめ形成された着物の着用工程Ｓ２１ｂより構成される。
【００７３】
［１−１］着物の着用工程（Ｓ２１ａ）
着物の着用工程Ｓ２１ａでは、被取付部６５が、取付け領域６１内の所定の取付部６０に取付けられ、被係合部であるボタンホール６３が、係合部であるボタン６４に取付けられた着物を着用することで、衿後部５０は後方に傾倒するので、衿抜き作業を行うことなく、衿抜きがされた衿と同様の美しい形状の衿５を有する着物を、一人でも容易かつ迅速に着用することができる。
【００７４】
［１−２］着物の着用工程（Ｓ２１ｂ）
着物の着用工程Ｓ２１ｂでは、上身頃対１、前下見頃対２及び後下見頃対４の部材に分割することによって、着用者の身体の凹凸に沿って立体的に形成することができると共に、上身頃１と下身頃２、４間を折畳んでお端折部７を形成することによって、お端折部７作成のための作業負担が軽減される。これにより、着物全体の形状等の微調整を行うことなく、容易かつ迅速に着用することができる。
【００７５】
［２］第２工程（Ｓ２２）
第２工程（Ｓ２２）では、上身頃対１に取付けた袖９に腕を通した後、お端折部７の一端を巻いて、所定位置で固定する作業を行う。右前下身頃２０ｂ及び右上身頃１０ｂを固定することができるので、胸元が開くなどの着崩れを防ぐことができる。
【００７６】
［２］第３工程（Ｓ２３）
第３工程（Ｓ２３）では、お端折の他端を巻いて、お端折部の中間に固定する作業を行う。着用者は左前下身頃２０ａを巻いて主ファスナー７２、７５と従ファスナー７３…、７６…を装着係合させて固定することにより、右前下身頃２０ｂ及び右上身頃１０ｂを固定することができるので、胸元が開くなどの着崩れを防ぐことができる。
【００７７】
このように、本発明の実施の形態に係る着物を着用することで、従来行っていた裾の位置決め、お端折の形成、衿元の位置決めや衿抜きの作業を行うことなく、容易に着用することができる。即ち、例えば、着物の着用に不慣れな外国の旅行者であっても簡便に着用することができるので、着物を手軽に着用して写真撮影などを行いたい場合などに適した着用方法である。
【産業上の利用可能性】
【００７８】
以上のように、本発明では、ハーフファスナーなどの着脱具や支持具は帯で隠れるので、着物自体やお端折部にハーフファスナー等を取付けた着物であっても、お端折部の始端部及び終端部に１以上の装着具を取付け、前記の始端部及び終端部の装着具が装着係合して接続する１以上の支持具をお端折部の長さの一周位置や全長位置に取付け、前記の装着具や支持具を着物自体に取付ける場合は、帯で隠れる高さに設けてあるので、本発明の着物の着用時は、体形の如何に係わらず、従来の美しい形態を保ちながらも、着崩れしにくく、一人でも容易かつ迅速に着用できる。
【符号の説明】
【００７９】
１    上身頃対
２    前下身頃対
３    衽対
４    後下身頃対
５    衿
６    背力布（衿抜き部材）
７    お端折部
９    袖
１０ａ、１０ｂ    左右の上身頃
１１ａ、１１ｂ    肩山線
１２ａ、１２ｂ    前端側領域
１３  衿付部（衿刳り）
１４ａ、１４ｂ    後端側領域
１５  外側縁部
１６  背縫い部（傾斜内縁部）
２０ａ、２０ｂ    前下身頃
２１ａ、２１ｂ    上端部（上身頃側領域）
２４ａ、２４ｂ    衽取付け縁部
３０ａ、３０ｂ    衽
４０ａ、４０ｂ    後下身頃
４１ａ、４１ｂ    上端部（上身頃側領域）
４３ａ、４３ｂ    内側背縫い部（内側縁部）
５０  衿後部
５１  衿前部
６０  取付部
６１  取付け領域
６３  ボタンホール
６４  ボタン
７１  お端折部の長手方向始端部
７２  主ファスナー
７３…  従ファスナー
７４  お端折部の長手方向終端部
７５  主ファスナー
７６…  従ファスナー
１００ａ、１００ｂ    後側上身頃
１０１ａ、１０１ｂ    前側上身頃
１２０ａ、１２０ｂ    前端側縁部（傾斜前縁部）
１３０ａ、１３０ｂ    後衿付線
１３１ａ、１３１ｂ    前衿付線
１３２  後衿部
１３３  前衿部
１４０ａ、１４０ｂ    後端側縁部
１５０ａ、１５０ｂ    前外側縁部
１５１ａ、１５１ｂ    後外側縁部
１６０ａ、１６０ｂ    内側縁部
１６１ａ、１６１ｂ    縁部領域